(57)【要約】【課題】各無線パラメータセットの要求条件を満たす精度でセル探索が可能となる基地局装置、端末装置及び通信方法を提供すること。【解決手段】第１の無線パラメータセットの領域と前記第１の無線パラメータセットと異なるサブキャリア間隔を有する第２の無線パラメータの領域から構成される周波数帯域において、下りリンク信号を受信する無線受信部と、前記周波数帯域において、前記基地局装置と同期確立を行う同期検出部と、を備え、第１の無線パラメータセットの領域に第１の無線パラメータセットの同期信号系列がマップされており、第２の無線パラメータセットの領域に第２の無線パラメータセットの同期信号系列がマップされており、前記同期検出部は、第１の無線パラメータセットの同期信号系列及び第２の無線パラメータセットの同期信号系列を用いて、前記周波数帯域において、前記基地局装置との同期検出を行う。【選択図】図４
2018207137.tif 000002
【特許請求の範囲】
【請求項１】
基地局装置とＯＦＤＭ通信を行う端末装置であって、
第１の無線パラメータセットの領域と前記第１の無線パラメータセットと異なるサブキャリア間隔を有する第２の無線パラメータの領域から構成される周波数帯域において、下りリンク信号を受信する無線受信部と、
前記周波数帯域において、前記基地局装置と同期確立を行う同期検出部と、を備え、
第１の無線パラメータセットの領域に第１の無線パラメータセットの同期信号系列がマップされており、第２の無線パラメータセットの領域に第２の無線パラメータセットの同期信号系列がマップされており、
前記同期検出部は、第１の無線パラメータセットの同期信号系列及び第２の無線パラメータセットの同期信号系列を用いて、前記周波数帯域において、前記基地局装置との同期検出を行う端末装置。
【請求項２】
前記受信部は、前記同期検出部が第１の無線パラメータセットの同期信号系列を用いて同期を確立した場合、第１の無線パラメータセットの領域にマッピングした下りリンク信号に含まれる第２のパラメータセットの同期信号系列に関する情報を受信し、
前記同期検出部は、前記第２のパラメータセットの同期信号系列に関する情報を用いて、第２のパラメータセットの領域において、同期検出を行う請求項１に記載の端末装置。
【請求項３】
前記受信部は、前記同期検出部が第１の無線パラメータセットの同期信号系列を用いて同期を確立した場合、第１の無線パラメータセットの領域及び第２の無線パラメータセットの領域において、第１の無線パラメータセットの同期信号系列を用いて確立した同期を用いて、前記基地局装置が送信した下りリンク信号を受信する請求項１に記載の端末装置。
【請求項４】
前記第２の無線パラメータセットの同期信号系列は、複数個の第１の無線パラメータセットの同期信号系列が組み合わされた系列であり、前記第２の無線パラメータセットの同期信号を構成する各々の第１の無線パラメータセットの同期信号系列は、複数個の同期信号系列候補のうちのいずれかの系列であり、
前記同期検出部は、複数個の第１の無線パラメータセットの同期信号系列が組み合わされた一連の同期信号系列から前記第２の無線パラメータセットのセルＩＤを検出する請求項１乃至請求項３に記載の端末装置。
【請求項５】
前記同期検出部は、前記第１の無線パラメータセットのサブキャリア間隔が、前記第２の無線パラメータセットのサブキャリア間隔のａ倍である場合、前記第１の無線パラメータセットの同期信号系列をマップするＯＦＤＭシンボル数のａ倍のＯＦＤＭシンボル数を用いて、第２の無線パラメータセットの領域の同期検出を行う請求項１乃至４に記載の基地局装置。
【請求項６】
前記同期検出部は、前記第１の無線パラメータセットの領域において同期検出に用いるサブキャリア数と同一のサブキャリア数を用いて、前記第２の無線パラメータセットの領域において同期検出を行う請求項１乃至４に記載の基地局装置。
【請求項７】
前記第１の無線パラメータセットと前記第２の無線パラメータセットは、１つの無線アクセス技術である請求項１乃至請求項６に記載の基地局装置。
【請求項８】
基地局装置とＯＦＤＭ通信を行う端末装置の通信方法であって、
第１の無線パラメータセットの領域と前記第１の無線パラメータセットと異なるサブキャリア間隔を有する第２の無線パラメータセットの領域から構成される周波数帯域におい
て、下りリンク信号を受信する無線受信ステップと、
前記周波数帯域において、前記基地局装置と同期確立を行う同期検出ステップと、を有し、
第１の無線パラメータセットの領域に第１の無線パラメータセットの同期信号系列がマップされており、第２の無線パラメータセットの領域に第２の無線パラメータセットの同期信号系列がマップされており、
前記同期検出ステップは、第１の無線パラメータセットの同期信号系列及び第２の無線パラメータセットの同期信号系列を用いて、前記周波数帯域において、前記基地局装置との同期検出を行う通信方法。
【請求項９】
端末装置とＯＦＤＭ通信を行う基地局装置であって、
第１の無線パラメータセットの同期信号系列と第２の無線パラメータセットの同期信号系列を生成する同期信号生成部と、
第１の無線パラメータセットの領域と前記第１の無線パラメータセットと異なるサブキャリア間隔を有する第２の無線パラメータセット領域から構成される周波数帯域において、第１の無線パラメータセットの領域に前記第１の無線パラメータセットの同期信号系列をマップし、第２の無線パラメータセットの領域に前記第２の無線パラメータセットの同期信号系列をマップする多重部と、
第１の無線パラメータセットの前記同期信号系列と第２の無線パラメータセットの前記同期信号系列を前記端末装置に送信する無線送信部と、
前記端末装置から上りリンク信号を受信する無線受信部と、を備え、
前記無線送信部は、前記無線受信部が、何れかの無線パラメータセットにおいて、同期を確立したことを示す情報を受信した場合、同期を確立したことを示す情報により特定される無線パラメータセット以外の無線パラメータセットの同期信号系列に関する情報を送信する基地局装置。
【請求項１０】
端末装置とＯＦＤＭ通信を行う基地局装置であって、
第１の無線パラメータセットの同期信号系列と第２の無線パラメータセットの同期信号系列を生成する同期信号生成部と、
第１の無線パラメータセットの領域と前記第１の無線パラメータセットと異なるサブキャリア間隔を有する第２の無線パラメータセット領域から構成される周波数帯域において、第１の無線パラメータセットの領域に前記第１の無線パラメータセットの同期信号系列をマップし、第２の無線パラメータセットの領域に前記第２の無線パラメータセットの同期信号系列をマップする多重部と、
第１の無線パラメータセットの前記同期信号系列と第２の無線パラメータセットの前記同期信号系列を前記端末装置に送信する無線送信部を備え、
前記多重部が前記第２の無線パラメータセットの同期信号系列をマップするＯＦＤＭシンボル数は、前記第１の無線パラメータセットの同期信号系列をマップするＯＦＤＭシンボル数より多く設定する基地局装置。
【請求項１１】
前記第１の無線パラメータセットのサブキャリア間隔が、前記第２の無線パラメータセットのサブキャリア間隔のａ倍である場合、前記第２の無線パラメータセットの同期信号系列をマップするＯＦＤＭシンボル数は、前記第１の無線パラメータセットの同期信号系列をマップするＯＦＤＭシンボル数のａ倍である請求項１０に記載の基地局装置。
【請求項１２】
前記第１の無線パラメータセットの同期信号系列がマップされるサブキャリア数と前記第２の無線パラメータセットの同期信号系列がマップされるサブキャリア数は同一である請求項１０又は請求項１１に記載の基地局装置。
【請求項１３】
前記第１の無線パラメータセットがマップされるサブキャリア数は、第２の無線パラメ
ータセットのシステム帯域を構成するサブキャリア数と同一である請求項１２に記載の基地局装置。
【請求項１４】
前記第１の無線パラメータセットの同期信号がマップされる周波数帯域幅と前記第２の無線パラメータセットの同期信号がマップされる周波数帯域幅は同一である請求項１０又は請求項１１に記載の基地局装置。
【請求項１５】
前記同期信号生成部は、複数個の第１の無線パラメータセットの同期信号系列を組み合わせて第２の無線パラメータセットの同期信号系列を生成し、前記第２の無線パラメータセットの同期信号を構成する第１の無線パラメータセットの同期信号系列の各々は、複数個の同期信号系列候補から選択される同期信号系列である請求項１０又は１１に記載の基地局装置。
【請求項１６】
端末装置とＯＦＤＭ通信を行う基地局装置の通信方法であって、
第１の無線パラメータセットの同期信号系列と第２の無線パラメータセットの同期信号系列を生成する同期信号生成ステップと、
第１の無線パラメータセットの領域と前記第１の無線パラメータセットと異なるサブキャリア間隔を有する第２の無線パラメータセット領域から構成される周波数帯域において、第１の無線パラメータセットの領域に前記第１の無線パラメータセットの同期信号系列をマップし、第２の無線パラメータセットの領域に前記第２の無線パラメータセットの同期信号系列をマップする多重ステップと、
第１の無線パラメータセットの前記同期信号系列と第２の無線パラメータセットの前記同期信号系列を前記端末装置に送信する無線送信ステップと、
前記端末装置から上りリンク信号を受信する無線受信ステップと、を有し、
前記無線送信ステップは、前記無線受信ステップが、何れかの無線パラメータセットにおいて、同期を確立したことを示す情報を受信した場合、同期を確立したことを示す情報により特定される無線パラメータセット以外の無線パラメータセットの同期信号系列に関する情報を送信する通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような無線アクセスネットワーク（ＲＡＮ：Radio
Access Network）では、基地局装置或いは基地局装置に準じる送信局がカバーするエリ
アをセル（Cell）状に複数配置するセルラ構成とすることにより、通信エリアを拡大することができる。このセルラ構成において、端末装置は、セルＩＤの検出及びフレーム同期並びにシンボル同期を取得するために、セル探索手順（Cell search procedure）を実行
する。このセル探索のために、下りリンク無線フレームに同期チャネル（Synchronization Channel）が配置される。（
【非特許文献１】）。
【０００３】
近年、ＭＢＢ(Mobile Broadband)、ＭＴＣ（Machine Type Communication）等の複数のユースケースをサポートするために、新しい無線アクセス技術（ＲＡＴ：Radio Access Technology）が検討されている（
【非特許文献２】）。この無線アクセス技術は、これらのユースケースに対応するために、データレート、システム容量、レーテンシー、モビリティ等の幅広い要求条件を満たすようにデザインされる。このため、この無線アクセス技術では、幅広い範囲の複数の周波数帯域（数百ＭＨｚ〜数十ＧＨｚ）及び複数の周波数帯域幅（数ＫＨｚ〜数百ＭＨｚ）等を用いた複数の無線パラメータセットが用いられる。
【先行技術文献】
【非特許文献】
【０００４】
【非特許文献１】“3rd Generation Partnership Project Technical Specification Group Radio Access Network; Evolved Universal Terrestrial Radio Access (E-UTRA); Physical channels and modulation”  ３ＧＰＰ  ＴＳ３６．２１１  ｖ１２．３．０、２０１４年３月。
【非特許文献２】“5G Vision for 2020 and Beyond”  ＲＷＳ−１５００５１、３ＧＰＰ  ＲＡＮ  Ｗｏｒｋｓｈｏｐ  ｏｎ  ５Ｇ、２０１５年９月
【発明の概要】
【発明が解決しようとする課題】
【０００５】
しかしながら、非特許文献１に記載の無線アクセスネットワークは、一定のシステム帯域幅を用いる無線アクセス技術において最適なセル探索を実行するために、下りリンク無線フレームに同期チャネルが配置されている。このため、幅広い範囲の複数の無線パラメータセットが用いられる無線アクセス技術において、端末装置が、各無線パラメータセットで精度よくセル探索が可能な同期チャネルをデザインする必要がある。
【０００６】
本発明はこのような事情を鑑みてなされたものであり、その目的は、複数の異なる無線パラメータセットが用いられる無線アクセス技術において、各無線パラメータセットの要求条件を満たす精度で、効率的にセル探索が可能となる基地局装置、端末装置及び通信方法を提供することにある。
【課題を解決するための手段】
【０００７】
上述した課題を解決するために本発明に係る基地局装置、端末装置および通信方法の構
成は、次の通りである。
【０００８】
本発明に係る端末装置は、第１の無線パラメータセットの領域と前記第１の無線パラメータセットと異なるサブキャリア間隔を有する第２の無線パラメータの領域から構成される周波数帯域において、下りリンク信号を受信する無線受信部と、前記周波数帯域において、前記基地局装置と同期確立を行う同期検出部と、を備え、第１の無線パラメータセットの領域に第１の無線パラメータセットの同期信号系列がマップされており、第２の無線パラメータセットの領域に第２の無線パラメータセットの同期信号系列がマップされており、前記同期検出部は、第１の無線パラメータセットの同期信号系列及び第２の無線パラメータセットの同期信号系列を用いて、前記周波数帯域において、前記基地局装置との同期検出を行う。
【０００９】
本発明に係る端末装置において、前記受信部は、前記同期検出部が第１の無線パラメータセットの同期信号系列を用いて同期を確立した場合、第１の無線パラメータセットの領域にマッピングした下りリンク信号に含まれる第２のパラメータセットの同期信号系列に関する情報を受信し、前記同期検出部は、前記第２のパラメータセットの同期信号系列に関する情報を用いて、第２のパラメータセットの領域において、同期検出を行う。
【００１０】
本発明に係る端末装置において、前記同期検出部が第１の無線パラメータセットの同期信号系列を用いて同期を確立した場合、第１の無線パラメータセットの領域及び第２の無線パラメータセットの領域において、第１の無線パラメータセットの同期信号系列を用いて確立した同期を用いて、前記基地局装置が送信した下りリンク信号を受信する。
【００１１】
本発明に係る端末装置において、前記第２の無線パラメータセットの同期信号系列は、複数個の第１の無線パラメータセットの同期信号系列が組み合わされた系列であり、前記第２の無線パラメータセットの同期信号を構成する各々の第１の無線パラメータセットの同期信号系列は、複数個の同期信号系列候補のうちのいずれかの系列であり、前記同期信号検出部は、複数個の第１の無線パラメータセットの同期信号系列が組み合わされた一連の同期信号系列から前記第２の無線パラメータセットのセルＩＤを検出する。
【００１２】
本発明に係る端末装置において、前記同期検出部は、前記第１の無線パラメータセットのサブキャリア間隔が、前記第２の無線パラメータセットのサブキャリア間隔のａ倍である場合、前記第１の無線パラメータセットの同期信号系列をマップするＯＦＤＭシンボル数のａ倍のＯＦＤＭシンボル数を用いて、第２の無線パラメータセットの領域の同期検出を行う。
【００１３】
本発明に係る端末装置において、前記同期検出部は、前記第１の無線パラメータセットの領域において同期検出に用いるサブキャリア数と同一のサブキャリア数を用いて、前記第２の無線パラメータセットの領域において同期検出を行う。
【００１４】
本発明に係る端末装置において、前記第１の無線パラメータセットと前記第２の無線パラメータセットは、１つの無線アクセス技術である。
【００１５】
本発明に係る端末装置の通信方法は、第１の無線パラメータセットの領域と前記第１の無線パラメータセットと異なるサブキャリア間隔を有する第２の無線パラメータセットの領域から構成される周波数帯域において、下りリンク信号を受信する無線受信ステップと、前記周波数帯域において、前記基地局装置と同期確立を行う同期検出ステップと、を有し、第１の無線パラメータセットの領域に第１の無線パラメータセットの同期信号系列がマップされており、第２の無線パラメータセットの領域に第２の無線パラメータセットの同期信号系列がマップされており、前記同期検出ステップは、第１の無線パラメータセッ
トの同期信号系列及び第２の無線パラメータセットの同期信号系列を用いて、前記周波数帯域において、前記基地局装置との同期検出を行う
【００１６】
本発明に係る基地局装置は、第１の無線パラメータセットの同期信号系列と第２の無線パラメータセットの同期信号系列を生成する同期信号生成部と、第１の無線パラメータセットの領域と前記第１の無線パラメータセットと異なるサブキャリア間隔を有する第２の無線パラメータセット領域から構成される周波数帯域において、第１の無線パラメータセットの領域に前記第１の無線パラメータセットの同期信号系列をマップし、第２の無線パラメータセットの領域に前記第２の無線パラメータセットの同期信号系列をマップする多重部と、第１の無線パラメータセットの前記同期信号系列と第２の無線パラメータセットの前記同期信号系列を前記端末装置に送信する無線送信部と、前記端末装置から上りリンク信号を受信する無線受信部と、を備え、前記無線送信部は、前記無線受信部が、何れかの無線パラメータセットにおいて、同期を確立したことを示す情報を受信した場合、同期を確立したことを示す情報により特定される無線パラメータセット以外の無線パラメータセットの同期信号系列に関する情報を送信する。
【００１７】
本発明に係る基地局装置は、第１の無線パラメータセットの同期信号系列と第２の無線パラメータセットの同期信号系列を生成する同期信号生成部と、第１の無線パラメータセットの領域と前記第１の無線パラメータセットと異なるサブキャリア間隔を有する第２の無線パラメータセット領域から構成される周波数帯域において、第１の無線パラメータセットの領域に前記第１の無線パラメータセットの同期信号系列をマップし、第２の無線パラメータセットの領域に前記第２の無線パラメータセットの同期信号系列をマップする多重部と、第１の無線パラメータセットの前記同期信号系列と第２の無線パラメータセットの前記同期信号系列を前記端末装置に送信する無線送信部を備え、前記多重部が前記第２の無線パラメータセットの同期信号系列をマップするＯＦＤＭシンボル数は、前記第１の無線パラメータセットの同期信号系列をマップするＯＦＤＭシンボル数より多く設定する。
【００１８】
本発明に係る基地局装置おいて、前記第１の無線パラメータセットのサブキャリア間隔が、前記第２の無線パラメータセットのサブキャリア間隔のａ倍である場合、前記第２の無線パラメータセットの同期信号系列をマップするＯＦＤＭシンボル数は、前記第１の無線パラメータセットの同期信号系列をマップするＯＦＤＭシンボル数のａ倍である。
【００１９】
本発明に係る基地局装置おいて、前記第１の無線パラメータセットの同期信号系列がマップされるサブキャリア数と前記第２の無線パラメータセットの同期信号系列がマップされるサブキャリア数は同一である。
【００２０】
本発明に係る基地局装置おいて、前記第１の無線パラメータセットがマップされるサブキャリア数は、第２の無線パラメータセットのシステム帯域を構成するサブキャリア数と同一である。
【００２１】
本発明に係る基地局装置おいて、前記第１の無線パラメータセットの同期信号がマップされる周波数帯域幅と前記第２の無線パラメータセットの同期信号がマップされる周波数帯域幅は同一である。
【００２２】
本発明に係る基地局装置おいて、前記同期信号生成部は、複数個の第１の無線パラメータセットの同期信号系列を組み合わせて第２の無線パラメータセットの同期信号系列を生成し、前記第２の無線パラメータセットの同期信号を構成する第１の無線パラメータセットの同期信号系列の各々は、複数個の同期信号系列候補から選択される同期信号系列である。
【００２３】
本発明に係る基地局装置の通信方法は、第１の無線パラメータセットの同期信号系列と第２の無線パラメータセットの同期信号系列を生成する同期信号生成ステップと、第１の無線パラメータセットの領域と前記第１の無線パラメータセットと異なるサブキャリア間隔を有する第２の無線パラメータセット領域から構成される周波数帯域において、第１の無線パラメータセットの領域に前記第１の無線パラメータセットの同期信号系列をマップし、第２の無線パラメータセットの領域に前記第２の無線パラメータセットの同期信号系列をマップする多重ステップと、第１の無線パラメータセットの前記同期信号系列と第２の無線パラメータセットの前記同期信号系列を前記端末装置に送信する無線送信ステップと、前記端末装置から上りリンク信号を受信する無線受信ステップと、を有し、前記無線送信ステップは、前記無線受信ステップが、何れかの無線パラメータセットにおいて、同期を確立したことを示す情報を受信した場合、同期を確立したことを示す情報により特定される無線パラメータセット以外の無線パラメータセットの同期信号系列に関する情報を送信する。
【発明の効果】
【００２４】
本発明によれば、複数の異なる無線パラメータセットが用いられる無線アクセス技術において、各無線パラメータセットの要求条件を満たす精度で、効率的にセル探索が可能となる。
【図面の簡単な説明】
【００２５】
【図１】本実施形態に係る通信システムの例を示す図である。
【図２】本実施形態に係る通信システムにおける無線パラメータセットの例である。
【図３】本実施形態に係る無線アクセス技術における無線フレームの構成例を示す図である。
【図４】本実施形態に係る複数の各無線パラメータの配置例を示す図である。
【図５】本実施形態に係るＯＦＤＭのサブキャリア構成の例を示す図である。
【図６】本実施形態に係るＯＦＤＭのサブキャリア構成の別の例を示す図である。
【図７】本実施形態に係る無線アクセス技術におけるサブフレームあたりのＯＦＤＭシンボルの構成例を示す図である。
【図８】本実施形態に係る第１の同期信号の配置例を示す図である。
【図９】本実施形態に係る無線アクセス技術におけるサブフレームあたりのＯＦＤＭシンボルの別の構成例を示す図である。
【図１０】本実施形態に係る第１の同期信号の別の配置例を示す図である。
【図１１】本実施形態に係る第１の同期信号の別の配置例を示す図である。
【図１２】本実施形態における基地局装置の構成を示す概略ブロック図である。
【図１３】本実施形態における端末装置の構成を示す概略ブロック図である。
【図１４】実施形態に係る端末装置のセル探索フロー例を示す図である。
【図１５】実施形態に係るセル探索のシーケンス例を示す図である。
【図１６】本実施形態に係る実施形態に係るＯＦＤＭのサブキャリア構成の別の例を示す図である。
【図１７】本実施形態に係るＯＦＤＭのサブキャリア構成の別の例を示す図である。
【図１８】本実施形態に係る無線アクセス技術におけるサブフレームあたりのＯＦＤＭシンボルの別の構成例を示す図である。
【図１９】無線フレームにおいて同期信号が配置されたサブフレームを示す図である。
【発明を実施するための形態】
【００２６】
本実施形態における通信システムは、基地局装置（送信装置、セル、サービングセル、送信点、送信アンテナ群、送信アンテナポート群、コンポーネントキャリア、ｅＮｏｄｅ
Ｂ）および端末装置（端末、移動端末、受信点、受信端末、受信装置、受信アンテナ群、受信アンテナポート群、ＵＥ）を備える。なお、上記の基地局装置及び端末装置は、ライセンスバンド及び／又はアンライセンスバンドで通信することが可能である。
【００２７】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２８】
図１は、本実施形態に係る通信システムの例を示す図である。図１に示すように、本実施形態における通信システムは、基地局装置１０−１、１０−２、１１−１、１１−２、１２−１〜１２−５と端末装置２０‐１〜２０‐３を備える。基地局装置のカバレッジ１０−１ａ、１０−２ａ、１１−１ａ、１１−２ａ、１２−１ａ〜１２−５ａは各々、基地局装置１０−１、１１−１、１１−２、１２−１〜１２−５が端末装置と接続可能な範囲（通信エリア）である。基地局装置のカバレッジをセルとも称する。また、基地局装置１０−１、１０−２を総称して基地局装置１０とも称する。基地局装置１１−１、１１−２を総称して基地局装置１１とも称する。基地局装置１２−１〜１２−５を総称して基地局装置１２とも称する。端末装置２０−１〜２０−３を総称して端末装置２０とも称する。端末装置２０は、基地局装置１０〜１２の少なくとも１つに接続可能である。なお、本実施形態に係る通信システムを構成する基地局装置１０〜１２の設置数は図１に限定されない。
【００２９】
本実施形態に係る通信システムにおける基地局装置１０〜１２は、カバレッジが相互に重複する配置とすることができる。図１の例では、カバレッジ１０−１ａは、カバレッジ１１−２ａ、１２−１ａ〜１２−４ａと重複する。カバレッジ１０−１ａ及びカバレッジ１１−１ａの両方のカバレッジに存在する端末装置２０‐１は、基地局装置１０−１及び１１−１と同時に接続することも可能である。また、基地局装置１２により構成されるカバレッジは密に配置される。カバレッジ１０−１ａ、カバレッジ１２−１ａ及びカバレッジ１２−２ａのカバレッジに存在する端末装置２０‐２は、基地局装置１０−１、１２−１及び１２−２と同時に接続することも可能である。例えば、本実施形態に係る通信システムは、同時に接続する方法として、キャリアアグリゲーションやデュアルコネクティビティ等を適用することが可能である。この場合、端末装置と通信するセルは、プライマリセル（PCell:Primary Cell）、セカンダリセル（SCell：Secondary Cell）又はプライマ
リセカンダリセル（PSCell:Primary Secondary Cell）になり得る。
【００３０】
図１の通信システムは、既存の無線ネットワークを含む複数のヘテロジーニアスな無線アクセスネットワークを適用することができる。
【００３１】
図１の通信システムは、複数の無線アクセス技術（ＲＡＴ：Radio Access Technology
）を適用することができる。複数の無線アクセス技術は、ヘテロジーニアスであってもよい。図１の通信システムにおいて、サポートする無線アクセスネットワークや無線アクセス技術が異なる基地局装置が混在する。
【００３２】
図１の通信システムにおいて、サポートする無線アクセスネットワークや無線アクセス技術が異なる端末装置が混在する。例えば、基地局装置１０−１は第１の無線アクセス技術及び第２の無線アクセス技術が適用され、基地局装置１０−２、１０−３は第１の無線アクセス技術が適用される場合、第１のアクセス技術のみをサポートする端末装置は、基地局装置１０−１〜１０−３に接続することができる。第２の無線アクセス技術のみをサポートしている端末装置は基地局１０−１の接続に制限される。第１のアクセス技術及び第２のアクセス技術をサポートする端末装置は、基地局装置１０−１〜１０−３に接続することができる。
【００３３】
また、第１の無線アクセス技術は複数の無線パラメータセットで構成される。第２の無線アクセス技術は、１つの無線パラメータセットで構成される。基地局装置１０−１〜基地局装置１０−３は各々、第１の無線アクセス技術における異なる無線パラメータが適用される。また、基地局装置１０−１は、そのシステム帯域内において、第１の無線アクセス技術を構成する各無線パラメータを用いることができる。第１の無線アクセス技術の無線パラメータは、第２の無線アクセス技術を構成する無線パラメータセットの１つと後方互換性を有してもよい。
【００３４】
端末装置は、サポートする無線パラメータセットが混在する。第１の無線アクセス技術をサポートする端末装置は、第１の無線アクセス技術を構成する全ての無線パラメータセットを用いて、第１の無線アクセス技術をサポートする基地局装置に接続する。第２の無線アクセス技術をサポートする端末装置は、第１の無線アクセス技術を構成する無線パラメータセットのうち、第２の無線アクセス技術と後方互換性がある無線パラメータセットを用いて、第１の無線アクセス技術をサポートする基地局装置に接続する。なお、無線アクセスネットワークの相違と、無線アクセス技術の相違は関連づけられる。
【００３５】
図２は、本実施形態に係る第１の無線アクセス技術における無線パラメータセットの例である。各無線パラメータセットは、ＯＦＤＭ（Orthogonal Frequency Division Multiplexing）又はマルチキャリアを用いた場合である。無線パラメータセットは各々、使用可能な周波数帯域幅（システム帯域幅）、サブキャリア間隔及び１ｍｓ当たりのＯＦＤＭシンボル数が異なる。無線パラメータセットは各々、ＯＦＤＭシンボル長が異なる。無線パラメータセットは各々、サンプリング間隔（サンプリング周波数）が異なる。例えば、無線パラメータセット２のサンプリング間隔は無線パラメータセット１のサンプリング間隔より短く設定される。無線パラメータセット３のサンプリング間隔は無線パラメータセット２のサンプリング間隔より短く設定される。
【００３６】
無線パラメータセットは各々、ＯＦＤＭにおけるＦＦＴポイント数が異なってもよい。無線パラメータセットは各々、同じ／異なる周波数帯域で適用することができる。例えば、無線パラメータセット１が３ＧＨｚ帯未満、無線パラメータセット２が３ＧＨｚ帯以上、１０ＧＨｚ未満、無線パラメータセット３が１０ＧＨｚ帯以上で適用される。例えば、図１において、無線パラメータセット１は、基地局装置１０と端末装置との無線通信に適用される。無線パラメータセット２は、基地局装置１１と端末装置との無線通信に適用される。無線パラメータセット３は、基地局装置１２と端末装置との無線通信に適用される。
【００３７】
また、基地局装置は、無線パラメータセットの各々を、同一のキャリア周波数や周波数帯域（システム帯域）で適用することもできる。また基地局装置は、同一のＯＦＤＭシンボルで複数の無線パラメータセットを用いることができる。
【００３８】
なお、図２は異なる複数の無線パラメータセットから構成される１つの無線アクセス技術の一例であり、本発明はかかるパラメータ値に限定されない。例えば、無線パラメータセット１の周波数帯域幅をＭＴＣ（Machine Type Communication）に用いる帯域幅に設定することができる。
【００３９】
上述のように、１つの無線アクセス技術が複数の異なる無線パラメータセットから構成されることにより、伝送容量、モビリティ等の幅広いスケーラビリティに対応可能となる。例えば、端末装置２０が基地局装置１２と接続することにより、広帯域幅を用いた大容量伝送が可能となる。例えば、端末装置２０が基地局装置１０と接続することにより、低レーテンシーを必要としない通信が可能となる。
【００４０】
図３は、本実施形態に係る無線アクセス技術における無線フレームの構成例を示す図である。図３の無線フレームパターン１は、セット１〜セット３において、サブフレーム区間が同一と定義した場合の例である。すなわち、セット２の１つの無線フレームに含まれるサブフレーム数及びＯＦＤＭシンボル数は、セット１の１つの無線フレームに含まれるサブフレーム数及びＯＦＤＭシンボル数より多い。また、セット３の１つの無線フレームに含まれるサブフレーム数及びＯＦＤＭシンボル数は、セット１及びセット２の１つの無線フレームに含まれるサブフレーム数及びＯＦＤＭシンボル数より多い。
【００４１】
図３の無線フレームパターン２は、セット１〜セット３において、サブフレーム長が異なると定義した場合の例である。例えば、セット１のＯＦＤＭシンボル長がセット２のＯＦＤＭシンボル長のｔ１倍の場合、セット１のサブフレーム長はセット２のＯＦＤＭシンボル長のｔ１倍とできる。すなわち、セット１のサブフレーム長に含まれるＯＦＤＭシンボル数は、セット２のサブフレーム長に含まれるＯＦＤＭシンボル数と同一とすることができる。
【００４２】
図３において、塗り潰し部は、同期信号が配置される区間である。無線フレームパターン１は、セット１〜セット３における同期信号配置長が同じ場合の例である。すなわち、セット１〜セット３において、同期信号が配置されるＯＦＤＭシンボル長が異なる。無線フレームパターン２は、セット１〜セット３において、同期信号が配置されるＯＦＤＭシンボル数が同じ場合の例である。
【００４３】
１つの無線フレームには、複数個の同期信号が含めることができる。基地局装置は、１つの無線フレームで、同期信号を周期的に配置することができる。なお、図３の無線フレームでは、サブフレーム区間の最後尾に同期信号が配置される例を示しているが、本発明はこれに限定されるわけではなく、サブフレーム区間の先頭に配置してもよいし、真ん中に配置してもよい。
【００４４】
図４は、本実施形態に係る複数の各無線パラメータの配置例を示す図である。図４において、周波数領域は、セット１で通信可能な領域〜セット３で通信可能な領域で構成される。基地局装置は、複数の無線パラメータセット（セット１〜セット３）を用いて通信可能な領域で構成される１つのシステム帯域幅を有するセルを構築することができる。例えば、図４において、基地局装置は、端末装置２０−１、２０−２、２０−３対して、それぞれ無線パラメータセット１、２、３で生成した信号を周波数多重することができる。また、基地局装置は、端末装置２０−１に対して、無線パラメータセット１、２、３で生成した信号を周波数多重することができる。なお、セット１〜セット３の各々に割当てられる領域は、固定であっても良いし、可変であっても良い。また、各無線パラメータセットの領域は基地局装置毎に独立に設定することができる。また、基地局装置間の協調／コーディネーションによって隣接基地局装置間で各無線パラメータセットの領域は合わせることができる。また、基地局装置は端末装置に各無線パラメータセットの領域を指示することができる。このとき端末装置は、基地局装置から受信した各無線パラメータセットの領域によって、各領域で対応する無線パラメータセットを用いて受信処理をすることができる。
【００４５】
図４において、同期信号は、各無線パラメータセットの領域毎に配置される。図４において、網掛け部は、セット１における同期信号が配置される領域である。右上がり斜線部はセット２における同期信号が配置される領域である。右上がり斜線部はセット３における同期信号が配置される領域である。
【００４６】
基地局装置は、端末装置が同期を確立した無線パラメータセットに応じて、その端末装
置の下りリンク信号を配置する。例えば、端末装置２０−１は、セット１の領域に配置された同期信号を用いて同期を確立する。端末装置２０−２は、セット２の領域に配置された同期信号を用いて同期を確立する。端末装置２０−３は、セット３の領域に配置された同期信号を用いて同期を確立する。この場合、基地局装置は、１つのシステム帯域におけるセット１の領域に端末装置２０−１の下りリンク信号を配置し、セット２の領域に端末装置２０−２の下りリンク信号を配置し、セット３の領域に端末装置２０−３の下りリンク信号を配置する。
【００４７】
基地局装置は、セット１の領域〜セット３の領域に亘って、端末装置２０−１の下りリンク信号を配置することもできる。このとき、端末装置２０−１は、セット１の領域〜セット３の領域に配置された同期信号のうち、少なくとも１つの領域に配置された同期信号を用いて、セット１の領域〜セット３の領域において、同期を取得ことができる。つまり、基地局装置はセット１の領域〜セット３の領域の少なくとも１つの領域に同期信号を配置することができる。このとき端末装置２０−１は、セット１の領域〜セット３の領域の少なくとも１つの領域に配置された同期信号によって同期を取ることができる。また基地局装置は、同期信号が配置されたセットを端末装置２０−１に指示することができる。このとき端末装置２０−１は、基地局装置から指示された無線パラメータセットの領域に含まれる同期信号を用いて、同期を取ることができる。
【００４８】
また、基地局装置は、セット１〜セット３のいずれかで通信可能な領域を１つのシステム帯域幅とするセルを構築することができる。セット１〜セット３で構成されるセルは各々、プライマリセル、セカンダリセル又はプライマリセカンダリセルと対応づけることができる。例えば、セット１の領域がプライマリセルであり、セット２及び３の領域がセカンダリセルとなる場合、端末装置は、セット１の領域〜セット３の領域でキャリアアグリゲーションをすることができる。このとき、端末装置２０−１は、少なくとも無線パラメータセット１で、セット１〜セット３における同期の取得をすることができる。
【００４９】
例えば、セット１の領域がプライマリセルであり、セット２の領域がプライマリセカンダリセルであり、セット３の領域がセカンダリセルとなる場合、端末装置は、デュアルコネクティビティをすることができる。このとき、端末装置２０−１は、無線パラメータセット１及びセット２で、セット１〜セット３における同期の取得をすることができる。これにより、端末装置２０−１が同期確立のために探索する同期信号系列候補を減らすことができる。
【００５０】
また、セット１〜セット３の各々は、異なるセルで用いることができる。例えば、セット１はプライマリセル／セカンダリセル／プライマリセカンダリセルで用いることができ、セット２はセカンダリセル／プライマリセカンダリセルで用いることができ、セット３はセカンダリセルで用いることができる。このとき端末装置は、プライマリセルでは、セット１での同期処理又はセルサーチをすればよいため、同期／セルサーチの効率を改善することができる。また基地局装置はセカンダリセル／プライマリセカンダリセルの無線パラメータセットを端末装置に指示することができる。このとき、端末装置は、基地局装置から指示された無線パラメータセットを用いて同期／セルサーチをすることができる。また、基地局装置は、セット１〜セット３の一部セットに、同期信号をマップすることができる。
【００５１】
以上のように、同期信号は、各無線パラメータセットの領域に配置される。これにより、基地局装置が各無線パラメータセットの領域に対して、端末装置をスケーラブルに配置する無線アクセス技術においても、端末装置は、効率的にセル探索を行うことがきる。
【００５２】
また、基地局装置は、端末装置とある無線パラメータセットにおいて同期を確立した場
合、他の無線パラメータにおける同期に関するパラメータを通知することができる。例えば、端末装置がセット１の領域の同期信号を用いて同期を確立した場合、基地局装置は、セット１の領域の下りリンク信号を用いて、端末装置に対してセット２／セット３の領域の同期信号に関するパラメータを通知することができる。同期信号に関するパラメータには、同期信号系列の根、同期信号系列に与えられたサイクリックシフト量、同期信号系列に対応づけられたセルＩＤの一部又は全部が含まれる。
【００５３】
例えば、セット１の領域がプライマリセルであり、セット２の領域がプライマリセカンダリセルであり、セット３の領域がセカンダリセルとなる場合、端末装置は、デュアルコネクティビティをすることができる。このとき、端末装置がセット１の領域の同期信号を用いて同期を確立した場合、基地局装置は、セット１の下りリンク信号を用いて、端末装置に対してセット２の領域の同期信号に関するパラメータを通知することができる。これにより、端末装置２０−１が同期確立のために探索する同期信号系列候補を減らすことができる。
【００５４】
以上のように、端末装置が複数の無線パラメータセットのうちのいずれかで同期が確立した場合、基地局装置は、その同期を確立した無線パラメータセットを用いて、他の無線パラメータセットの同期信号に関する情報を端末装置に対してアシストする。これにより、端末装置がセル探索のために用いる同期信号系列候補の数を減らすことができ、負荷低減及びセル探索時間の短縮が可能となる。
【００５５】
また、セット１の無線パラメータセットのみをサポートしている端末装置は、セット１の領域の同期信号系列を用いて、同期確立を行う。すなわち、該端末装置は、セット１の同期信号系列候補を用いて、同期検出処理を行う。一方、セット１〜セット３の無線パラメータセットをサポートしている端末装置は、セット１の領域〜セット３の領域の同期信号系列を用いて、同期確立を行う。すなわち、該端末装置は、セット１〜セット３の同期信号系列候補を用いて、同期検出（セル探索）を行う。
【００５６】
また、端末装置が複数の無線パラメータセットのうちのいずれかで同期が確立した場合、その確立した無線パラメータセットを用いて、該端末装置のケーパビリティを送信する。基地局装置は、そのケーパビリティに応じて、各無線パラメータセットの同期信号系列に関する情報を端末装置に送信する。
【００５７】
例えば、セット１〜セット３の無線パラメータをサポートしている端末装置がセット１において同期を確立した場合、基地局装置は、セット２、セット３の同期信号系列に関する情報を、セット１の下りリンク信号を用いて、該端末装置に通知する。
【００５８】
以上のように、サポートする無線パラメータセットが異なる端末装置が混在する場合であっても、各端末装置は、効率的に同期を確立することができる。
【００５９】
なお、図４では、セット１〜セット３の領域において、同期信号が配置されるＯＦＤＭシンボル数が同一の場合を示したが、これに限らない。セット１〜セット３の領域において、同期信号が配置される時間長が同一になるように配置することもできる。例えば、セット１〜セット３の領域において、セット１の同期信号が配置されるＯＦＤＭシンボル長と同一の時間長に、セット２、及びセット３の同期信号を配置することができる。
【００６０】
図１において、端末装置２０から基地局装置１０〜１２への上りリンクの無線通信では、複数の上りリンク物理チャネルがアレンジされる。上りリンク物理チャネルは、上位層から出力された情報を送信するために使用される。
【００６１】
上りリンク物理チャネルには、上りリンク制御情報（Uplink Control Information: UCI）を送信するための物理チャネル（上りリンク制御チャネル）がアレンジされる。この
物理上りリンクデータチャネルは、端末装置２０が用いることができる無線パラメータセット（例えば、図２の無線パラメータセット１〜３）を示す情報を含めることができる。これにより、端末装置２０は、自らが用いることができる／自らが用いることを希望する無線パラメータセットをダイナミックに通知することができる。この上りリンク物理チャネルには、ＬＴＥにおけるＰＵＣＣＨ（Physical Uplink Control Channel）の機能を含
めることができる。上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含め
ることができる。下りリンクデータに対するＡＣＫ／ＮＡＣＫを、ＨＡＲＱ−ＡＣＫ、ＨＡＲＱフィードバックとも称する。
【００６２】
上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求
（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００６３】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００６４】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００６５】
上りリンク物理チャネルには、上りリンクデータ（上りリンクトランスポートブロック、UL-SCH）を送信するための物理チャネル（上りリンクデータチャネル）がアレンジされる。この物理上りリンクデータチャネルには、ＬＴＥにおけるＰＵＳＣＨ（Physical Uplink Shared Channel）の機能を含めることができる。また、この物理上りリンクデータチャネルは、上りリンクデータと共に、ＡＣＫ／ＮＡＣＫおよび／またはチャネル状態情報を送信するために用いられても良い。また、この物理上りリンクデータチャネルは、上りリンク制御情報のみを送信するために用いられても良い。
【００６６】
また、この物理上りリンクデータチャネルは、ＲＲＣメッセージを送信するために用いられる。ＲＲＣメッセージは、無線リソース制御（Radio Resource Control: RRC）層に
おいて処理される情報／信号である。この物理上りリンクデータチャネルは、端末装置２０が用いることができる無線パラメータセット（例えば、図２の無線パラメータセット１〜３）を示す情報を含めることができる。この下りリンクデータチャネルは、この無線パラメータセットを示す情報をＲＲＣメッセージに含めることもできる。これにより、端末装置２０は、自らが用いることができる／自らが用いることを希望する無線パラメータセットをセミスタティック／スタティックに通知することができる。また、この物理上りリンクデータチャネルは、ＭＡＣ  ＣＥ（Control Element）を送信するために用いられる
。ここで、ＭＡＣ  ＣＥは、媒体アクセス制御（MAC: Medium Access Control）層において処理（送信）される情報／信号である。
【００６７】
上りリンク物理チャネルには、ランダムアクセスプリアンブルを送信するための物理チャネル（ランダムアクセスチャネル）がアレンジされる。この物理上りリンクデータチャネルには、ＬＴＥにおけるＰＲＡＣＨ（Physical Random Access Channel）の機能を含めることができる。
【００６８】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００６９】
ＤＭＲＳは、上りリンクデータを送信するための物理チャネルまたは上りリンク制御情報を送信するための物理チャネルの送信に関連する。例えば、基地局装置１０〜１２は、上りリンクデータを送信するための物理チャネルまたは上りリンク制御情報を送信するための物理チャネルの伝搬路補正を行なうためにＤＭＲＳを使用する。ＳＲＳは、上りリンクデータを送信するための物理チャネルまたは上りリンク制御情報を送信するための物理チャネルの送信に関連しない。例えば、基地局装置１０〜１２は、上りリンクのチャネル状態を測定するためにＳＲＳを使用する。
【００７０】
図１において、基地局装置１０〜１２から端末装置２０への下りリンクの無線通信では、複数の下りリンク物理チャネルがアレンジされる。下りリンク物理チャネルは、上位層から出力された情報を送信するために使用される
【００７１】
下りリンク物理チャネルには、端末装置で共通に用いられるマスターインフォメーションブロック（Master Information Block: MIB, Broadcast Channel: BCH）を報知するた
めの物理チャネル（報知チャネル）がアレンジされる。この下りリンク物理チャネルには、ＬＴＥにおけるＰＢＣＨ（Physical Broadcast Channel）の機能を含めることができる。
【００７２】
下りリンク物理チャネルには、下りリンク制御チャネルの送信に用いられる領域（例えば、ＯＦＤＭシンボルの数）を指示する情報を送信する物理チャネル（制御フォーマット指示チャネル）がアレンジされる。この下りリンク物理チャネルには、ＬＴＥにおけるＰＣＦＩＣＨ（Physical Control Format Indicator Channel）の機能を含めることができ
る。
【００７３】
下りリンク物理チャネルには、基地局装置１０〜１２が受信した上りリンクデータ（トランスポートブロック、コードワード）に対するＡＣＫ／ＮＡＣＫを送信する物理チャネル（ＨＡＲＱ指示チャネル）がアレンジされる。この下りリンク物理チャネルには、ＬＴＥにおけるＰＨＩＣＨ（Physical Hybrid automatic repeat request Indicator Channel）の機能を含めることができる。すなわち、この下りリンク物理チャネルは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２０は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＨＡＲＱ指示チャネルが存在しない場合、端末装置２ＡはＡＣＫを上位レイヤに通知する。
【００７４】
下りリンク物理チャネルには、下りリンク制御情報（Downlink Control Information: DCI）を送信するための物理チャネル（下りリンク制御チャネル）がアレンジされる。こ
の下りリンク物理チャネルには、ＬＴＥにおける  ＰＤＣＣＨ（Physical Downlink Control Channel）／ＥＰＤＣＣＨ（Enhanced Physical Downlink Control Channel）の機能
を含めることができる。
【００７５】
下りリンク制御チャネルは、下りリンク制御情報（Downlink Control Information: DCI）を送信するために用いられる。ここで、下りリンク制御情報の送信に対して、複数の
ＤＣＩフォーマットが定義される。すなわち、下りリンク制御情報に対するフィールドがＤＣＩフォーマットに定義され、情報ビットへマップされる。
【００７６】
例えば、下りリンクに対するＤＣＩフォーマットとして、１つのセルにおける１つの下りリンクデータチャネル（１つの下りリンクトランスポートブロックの送信）のスケジューリングに使用されるＤＣＩフォーマットが定義される。このＤＣＩフォーマットはＬＴＥにおけるＤＣＩフォーマット１Ａの機能を含めることができる。
【００７７】
例えば、下りリンクに対するＤＣＩフォーマットには、下りリンクデータチャネルのリソース割り当てに関する情報、下りリンクデータチャネルに対するＭＣＳ（Modulation and Coding Scheme）に関する情報、上りリンク制御チャネルに対するＴＰＣコマンドなどの下りリンク制御情報が含まれる。ここで、下りリンクに対するＤＣＩフォーマットを、下りリンクグラント（または、下りリンクアサインメント）とも称する。
【００７８】
また、例えば、上りリンクに対するＤＣＩフォーマットとして、１つのセルにおける１つの上りリンクデータチャネル（１つの上りリンクトランスポートブロックの送信）のスケジューリングに使用されるＤＣＩフォーマットが定義される。このＤＣＩフォーマットはＬＴＥにおけるＤＣＩフォーマット０の機能をふくめることができる。
【００７９】
例えば、上りリンクに対するＤＣＩフォーマットには、上りリンクデータチャネルのリソース割り当てに関する情報、上りリンクデータチャネルに対するＭＣＳに関する情報、上りリンクデータチャネルに対するＴＰＣコマンドなど上りリンク制御情報が含まれる。上りリンクに対するＤＣＩフォーマットを、上りリンクグラント（または、上りリンクアサインメント）とも称する。
【００８０】
また、上りリンクに対するＤＣＩフォーマットは、下りリンクのチャネル状態情報（ＣＳＩ；Channel State Information。受信品質情報とも称する。）を要求（CSI request）するために用いることができる。
【００８１】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００８２】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前
記定期的なチャネル状態情報報告及び前記不定期的なチャネル状態情報報告の両方を設定することもできる。
【００８３】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００８４】
端末装置は、下りリンクアサインメントを用いて下りリンクデータチャネルのリソースがスケジュールされた場合、スケジュールされた下りリンクデータチャネルで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００８５】
上述したＤＣＩフォーマットは各々、端末装置２０が用いることができる無線パラメータセット（例えば、図２の無線パラメータセット１〜３）を示す情報を含めることができる。これにより、端末装置２０は、自らが用いることができる無線パラメータセットをダイナミックに認識することができる。
【００８６】
下りリンク物理チャネルには、下りリンクデータ（下りリンクトランスポートブロック、DL-SCH）を送信するための物理チャネル（下りリンクデータチャネル）がアレンジされる。この下りリンク物理チャネルには、ＬＴＥにおけるＰＤＳＣＨ（Physical Downlink Shared Channel；下りリンク共有チャネル）の機能を含めることができる。また、下りリンクデータチャネルは、システムインフォメーションブロックタイプ１メッセージを送信するために用いられる。システムインフォメーションブロックタイプ１メッセージは、セルスペシフィック（セル固有）な情報である。
【００８７】
また、下りリンクデータチャネルは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００８８】
また、下りリンクデータチャネルは、ＲＲＣメッセージを送信するために用いられる。ここで、基地局装置から送信されるＲＲＣメッセージは、セル内における複数の端末装置に対して共通であっても良い。また、基地局装置１０〜１２から送信されるＲＲＣメッセージは、ある端末装置２０に対して専用のメッセージ（dedicated signalingとも称する
）であっても良い。すなわち、ユーザ装置スペシフィック（ユーザ装置固有）な情報は、ある端末装置に対して専用のメッセージを使用して送信される。下りリンクデータチャネルには、端末装置２０が用いることができる無線パラメータセット（例えば、図２の無線パラメータセット１〜３）を示す情報を含めることができる。この下りリンクデータチャネルは、この無線パラメータセットを示す情報をＲＲＣメッセージに含めることもできる。これにより、端末装置２０は、自らが用いることができる無線パラメータセットをセミスタティック／スタティックに認識することができる。
【００８９】
また、下りリンクデータチャネルは、ＭＡＣ  ＣＥを送信するために用いられる。
ここで、ＲＲＣメッセージおよび／またはＭＡＣ  ＣＥを、上位層の信号（higher layer
signaling）とも称する。
【００９０】
また、下りリンクデータチャネルは、下りリンクのチャネル状態情報を要求するために用いることができる。また、下りリンクデータチャネルは、端末装置が基地局装置にフィ
ードバックするチャネル状態情報報告(CSI feedback report)をマップする上りリンクリ
ソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００９１】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００９２】
下りリンクの無線通信では、下りリンク物理信号として、下りリンク参照信号（Downlink Reference Signal: DL RS）、同期信号（Synchronization signal: SS）が用いられる。下りリンク物理信号は、上位層から出力された情報を送信するためには使用されないが、物理層によって使用される。下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００９３】
下りリンク参照信号には、下りリンクデータチャネルに関連するＵＲＳ（UE-specific Reference Signal；端末固有参照信号、端末装置固有参照信号）、ＤＭＲＳ（Demodulation Reference Signal）、ＣＳＩ−ＲＳ（Chanel State Information - Reference Signal）が含まれる。また、下りリンク参照信号に、ＣＲＳ（Cell-specific Reference Signal;セル固有参照信号）を含めることもできる。
【００９４】
ＤＭＲＳは、下りリンクデータを送信するための物理チャネルまたは下りリンク制御情報を送信するための物理チャネルの送信に関連する。例えば、端末装置２０は、下りリンクデータを送信するための物理チャネルまたは下りリンク制御情報を送信するための物理チャネルの伝搬路補正を行なうためにＤＭＲＳを使用する。
【００９５】
ＣＳＩ−ＲＳは、下りリンクデータを送信するための物理チャネルまたは下りリンク制御情報を送信するための物理チャネルの送信に関連しない。例えば、端末装置２０は、端末装置と基地局装置１０〜１２との間の下りリンクのチャネル状態を測定するためにＣＳＩ−ＲＳを使用する。また、基地局装置１０〜１２は、ＣＳＩ−ＲＳをゼロ出力で送信することもできる。これにより、端末装置２０は、このＣＳＩ−ＲＳが対応するリソースにおいて干渉の測定を行なうことができる。
【００９６】
ＣＲＳは、サブフレームの全帯域で送信され、報知チャネル／下りリンク制御チャネル／ＨＡＲＱ指示チャネル／制御フォーマット指示チャネル／下りリンクデータチャネルの復調を行なうために用いることができる。下りリンクデータチャネルに関連するＵＲＳは、ＵＲＳが関連する下りリンクデータチャネルの送信に用いられるサブフレームおよび帯域で送信され、ＵＲＳが関連する下りリンクデータチャネルの復調を行なうために用いられる。
【００９７】
同期信号は、端末装置２０が、基地局装置１０〜１２と接続するために、基地局装置１０〜１２が構成するセルを探索するために用いられる。同期信号は、セル探索の手順において、下りリンクの無線フレーム同期及びシンボル同期等の時間領域の同期を取るために用いられる。また、同期信号は、セル探索の手順において、下りリンクの周波数領域の同期をとるために用いられる。さらに、同期信号は、セル探索の手順において、端末装置がセルのＩＤを検出するために用いられる。
【００９８】
なお、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００９９】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【０１００】
下りリンク信号及び上りリンク信号は、リソースエレメントに配置される。リソースエレメントとは、１つのサブキャリアと１つのＯＦＤＭシンボルから成る信号を配置する最小単位をいう。リソースブロックとは、複数のリソースエレメントを纏めたリソースの単位であり、端末装置毎に割り当てるリソースの最小単位である。例えば、リソースブロックは、１２個のサブキャリアと７個のＯＦＤＭシンボルから成るリソースとすることができる。
【０１０１】
図５は、本実施形態に係るＯＦＤＭのサブキャリア構成の例を示す図である。図５におけるセット１〜セット３は各々、図２〜図４と対応する。図５において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。図５において、白抜き部のサブキャリアは、同期信号以外の下りリンク信号が配置されるサブキャリアである。図５において、同期信号が配置されるサブキャリアは、各セットにおいて使用可能な周波数帯域幅の中心に配置されている。図５において、同期信号が配置されるサブキャリア数は、セット１〜セット３においてｒで共通である。サブキャリア数ｒは、１つのリソースブロックを構成するサブキャリア数に設定することができる。サブキャリア数ｒは、所定数のリソースブロックを構成するサブキャリア数に設定することができる。例えば、１リソースブロックを構成するサブキャリア数が１２サブキャリアであり、６リソースブロックに亘って同期信号を配置する場合、同期信号は７２サブキャリアに配置される。なお、端末装置２０が同期信号を取得するために帯域通過フィルタを用いる場合、ガードバンドを考慮して同期信号が配置される。例えば、前記７２サブキャリアのうち６３サブキャリアに同期信号が配置される。
【０１０２】
図６は、本実施形態に係るＯＦＤＭのサブキャリア構成の別の例を示す図である。図６におけるセット１〜セット３は各々、図２〜図４と対応する。図６において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。図６において、同期信号が配置されるサブキャリアは、各セットにおいて使用可能な周波数帯域幅の中心に配置されている。図６では、セット１において使用可能な周波数帯域幅を構成するサブキャリアに同期信号が配置される。セット１において、同期信号が配置されるサブキャリア数は、ｒである。そして、同期信号が配置されるサブキャリア数は、セット１〜セット３においてｒで共通である。サブキャリア数ｒは、１つのリソースブロックを構成するサブキャリア数に設定することができる。サブキャリア数ｒは、所定数のリソースブロックを構成するサブキャリア数に設定することができる。
【０１０３】
図７は、本実施形態に係る無線アクセス技術におけるサブフレームあたりのＯＦＤＭシンボルの構成例を示す図である。図７におけるセット１〜セット３は各々、図２〜図６と対応する。図７は、セット１〜セット３において、サブフレーム長が同一の場合の例である。セット１は１つサブフレームあたり１４個のＯＦＤＭシンボルから構成される例である。各サブフレームは２つのスロットから構成される。セット１は１つスロットあたり７個のＯＦＤＭシンボルから構成される。セット２は、１つサブフレームあたり７０個のＯＦＤＭシンボルから構成される例である。セット２は１つスロットあたり３５個のＯＦＤＭシンボルから構成される。セット３は１つサブフレームあたり５６０個のＯＦＤＭシンボルから構成される例である。セット３は１つスロットあたり２８０個のＯＦＤＭシンボルから構成される。
【０１０４】
図７において、セット２、セット３におけるサンプリング周波数は各々、セット１のサンプリング周波数に対して５倍、４０倍である。セット２、セット３におけるＯＦＤＭシンボル長は各々、セット１のＯＦＤＭシンボル長に対して５分の１、４０分の１である。
【０１０５】
図７は、無線フレームにおいて同期信号が配置されたサブフレーム（図５におけるサブフレーム＃０、又は＃５）を示している。図７において、右上がり斜線部のＯＦＤＭシンボルは、第１の同期信号が配置される。図７において、左上がりの斜線部のＯＦＤＭシンボルは、第２の同期信号が配置される。図７において、白抜き部のＯＦＤＭシンボルは、同期信号が配置されないＯＦＤＭシンボルである。セット１、セット２及びセット３において、同期信号が配置される時間の長さは同じである。セット１、セット２及びセット３において、同期信号が配置されるＯＦＤＭシンボル数は異なる。図７において、セット２に配置される同期信号のＯＦＤＭシンボル数は、セット１に配置される同期信号のＯＦＤＭシンボル数の５倍である。セット３に配置される同期信号のＯＦＤＭシンボル数は、セット１に配置される同期信号のＯＦＤＭシンボル数の４０倍である。なお、図７は、同期信号が配置されるＯＦＤＭシンボルは、サンプリング周波数、ＯＦＤＭシンボル長との関係で設定されることを示す一例であり、本発明は係るパラメータ値に限定されない。
【０１０６】
第１の同期信号及び第２の同期信号は、サブフレームを構成する一部のＯＦＤＭシンボルに配置される。図７において、１つのサブフレームを構成する前半のスロットの一部のＯＦＤＭシンボルに第１の同期信号及び第２の同期信号が配置される例である。第１の同期信号は、シンボル同期を取得するために用いることができる。また、端末装置が接続するセルＩＤは第１の同期信号から特定される第２のセルＩＤと第２の同期信号により特定される第１のセルＩＤ（セルＩＤグループとも称する）の組合せにより決定される。すなわち、第１の同期信号は、第２のセルＩＤを検出するために用いることができる。第２の同期信号はシンボル同期／フレーム同期を取得するために用いることができる。また、第２の同期信号は、第１のセルＩＤを検出するために用いることができる。
【０１０７】
第１の同期信号及び第２の同期信号のために使われる系列長は、各々の同期信号が配置されるサブキャリア数とＯＦＤＭシンボル数により決定される。ここで、セット１、セット２、セット３において同期信号が配置されるＯＦＤＭシンボル数は各々、ｓ１、ｓ２、ｓ３とおくと、ｓ２＝ａ×ｓ１、ｓ３＝ｂ×ｓ２となる。例えば、ａはセット１とセット２のサンプリング周波数の比、ｂはセット１とセット３のサンプリング周波数の比である。図７では、ｓ１＝１、ｓ２＝５、ｓ３＝４０、ａ＝５、ｂ＝４０である。また、セット１〜セット３において同期信号が配置されるサブキャリア数はｒである（図５、図６）。
【０１０８】
第１の同期信号系列の例として、Ｚａｄｏｆｆ−Ｃｈｕ系列を用いる場合を説明する。第１の同期信号系列ｄ１（ｎ）は、次式で表される。かかる式は、同期信号が配置されるサブキャリア数ｒ＝６２の場合の例である。
【数１】
2018207137.tif 000003
但し、インデックスｕはＺａｄｏｆｆ−Ｃｈｕ系列の根（ルート）となる値である。基地局装置及び端末装置は、インデックスｕとＺａｄｏｆｆ−Ｃｈｕ系列の根（ルート）の対応付けを示すテーブルを予め持つことができる。前記対応付けを示すテーブルによって与えられる第１の同期信号系列は、第１の同信号系列候補とも呼ぶ。ここで、インデックスｕは第１の同期信号系列により特定されるセルＩＤと関連付けられる。なお、インデックスuの数を増やすことにより、第１の同期信号により検出されるセルＩＤの数を増やすこ
とができる。例えば、第１の同期信号系列により特定されるセルＩＤの数がｘ個の場合、インデックスｕの数はｘ個となる。
【０１０９】
セット１において、第１の同期信号が配置されるＯＦＤＭシンボル及びサブキャリアに、インデックスｕのテーブルのうち、あるインデックスｕで生成された第１の同期信号系列ｄ１（ｎ）がマップされる。第１の同期信号系列ｄ１（ｎ）の系列長は、セット１における１つのスロットに同期信号が配置されるリソースエレメント数と同一にすることができる。また、第１の同期信号系列ｄ１（ｎ）の系列長は、セット１における１つのサブフレームに同期信号が配置されるリソースエレメント数と同一にすることもできる。セット１において同期信号がマップされるリソースエレメント数をｒ×ｓ１とすると、第１の同期信号系列ｄ１（ｎ）の系列長は、ｒ×ｓ１となる。セット２及びセット３において配置される第１の同期信号系列ｄ１（ｎ）の系列長もｒ×ｓ１である。図７は、セット１において同期信号が配置されるＯＦＤＭシンボル数ｓ１＝１の場合の例である。すなわち、図７のセット１において、１つのＯＦＤＭシンボル（ＯＦＤＭシンボル＃６）を構成するサブキャリア数ｒに、系列長ｒの第１の同期信号系列ｄ（ｎ）がマップされる。
【０１１０】
図８は、本実施形態に係る第１の同期信号の配置例を示す図である。図８におけるセット１〜セット３は各々、図２〜図７と対応する図８において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。図８におけるセット１のサブキャリア数ｒは、図４のセット１の領域において同期信号が配置されたサブキャリアと対応する。同様に、図８におけるセット２のサブキャリア数ｒは、図４のセット２の領域において同期信号が配置されたサブキャリアと対応する。図８におけるセット３のサブキャリア数ｒは、図４のセット３の領域において同期信号が配置されたサブキャリアと対応する。図８は、セット１〜セット３において、同一時間長に同期信号が配置される場合の例である。
【０１１１】
セット１において、同期信号が配置されるＯＦＤＭシンボル＃６に、インデックスｕののテーブルのうち、あるインデックスｕで生成された第１の同期信号系列ｄ１＿ｕ（ｎ）が周波数領域にマップされる。図８におけるセット１は、インデックスｕ＝０の同期信号系列ｄ１_０（ｎ）がマップされる例である。端末装置２０は、ＯＦＤＭ＃６に配置され
た第１の同期信号を用いてセルＩＤの検出及びシンボル同期取得を行う。ここで、第１の同期信号系列ｄ１（ｎ）のインデックスｕの数をｘ１とすると、セット１において、第１の同期信号により特定されるセルＩＤ（Ｎ＿ＩＤ＾（２））の数はｘ１×ｓ１となる。図８は、ｓ１＝１の場合の例であり、セット１において第１の同期信号により特定されるセルＩＤ数はｘ１となる。
【０１１２】
セット２において、第１の同期信号が配置されるＯＦＤＭシンボル及びサブキャリアに、インデックスｕで生成された複数個の第１の同期信号系列ｄ１（ｎ）がマップされる。
セット２において、第１の同期信号系列ｄ１（ｎ）が、ＯＦＤＭシンボル毎に周波数領域にマップされる。セット２において、第１の同期信号がマップされるリソースエレメント数をｒ×ｓ２とすると、ｒ×ｓ２＝ｒ×ａ×ｓ１となる。周波数領域にマップされた第１の同期信号系列ｄ１（ｎ）が時間領域にａ個列並べられる。セット１の第１の同期信号系列ｄ１を基本同期信号系列として、セット２の同期信号が生成される。
【０１１３】
図８のセット２において、時間領域に並べられるａ個の第１の同期信号系列ｄ１（ｎ）は各々、ｘ１個のインデックスｕ（図１ではｘ１＝３個）のいずれかから選択される。図８において、ＯＦＤＭシンボル番号＃３０〜＃３４の５個のＯＦＤＭシンボルに第１の同期信号がマップされる。ＯＦＤＭシンボル番号＃３０にマップされる第１の同期信号系列ｄ１（ｎ）のインデックスｕは、ｘ１個のインデックスうちいずれかが選択される。図８は、ＯＦＤＭシンボル番号＃３０に、ｕ＝０の第１の同期信号系列ｄ１＿０（ｎ）がマップされる例である。ＯＦＤＭシンボル番号＃３１〜＃３４にマップされる第１の同期信号系列ｄ１（ｎ）のインデックスｕは、同様に、ｘ１個のインデックスうちのいずれかが選択される。図８は、ＯＦＤＭシンボル番号＃３１に、ｕ＝１の第１の同期信号系列ｄ１＿１（ｎ）、ＯＦＤＭシンボル番号＃３２に、ｕ＝０の第１の同期信号系列ｄ１＿０（ｎ）、ＯＦＤＭシンボル番号＃３３に、ｕ＝１の第１の同期信号系列ｄ１＿１（ｎ）、ＯＦＤＭシンボル番号＃３４に、ｕ＝２の第１の同期信号系列ｄ１＿２（ｎ）がマップされた例である。
【０１１４】
端末装置２０は、図８のセット２において、ＯＦＤＭ＃３０〜＃３４に配置された一連の第１の同期信号系列（複数個の第１の同期信号系列ｄ１（ｎ）の塊）を用いてセルＩＤの検出及びシンボル同期取得を行う。セット２において、第１の同期信号系列ｄ１（ｎ）の組合せにより、第１の同期信号で特定されるセルＩＤ（Ｎ＿ＩＤ＾（２））が決定される。図８のセット２において、第１の同期信号で特定されるセルＩＤ数はａ×ｘ１個となる。
【０１１５】
また、ＯＦＤＭ＃３０〜＃３４の各々に配置された第１の同期信号系列ｄ１（ｎ）から特定されるセルＩＤをサブセルＩＤとし、セット２のセルＩＤは、前記サブセルＩＤの組合せにより特定することもできる。
【０１１６】
セット３において、第１の同期信号が配置されるＯＦＤＭシンボル及びサブキャリアに、インデックスｕで生成された複数個の第１の同期信号系列ｄ１（ｎ）がマップされる。セット３において、第１の同期信号系列ｄ１（ｎ）が、ＯＦＤＭシンボル毎に周波数領域にマップされる。セット３において第１の同期信号がマップされるリソースエレメント数をｒ×ｓ３とすると、ｒ×ｓ３＝ｒ×ｂ×ｓ１となる。周波数領域にマップされた第１の同期信号系列ｄ１（ｎ）が、が時間領域にｂ個並べられる。セット１の第１の同期信号系列ｄ１を基本同期信号系列として、セット３の同期信号が生成される。
【０１１７】
図８のセット３において、時間領域に並べられるｂ個の第１の同期信号系列ｄ１（ｎ）は各々、ｘ１個のインデックスｕのいずれかから選択される。図８において、ＯＦＤＭシンボル番号＃２４０〜＃２７９の４０個のＯＦＤＭシンボルに同期信号がマップされる。ＯＦＤＭシンボル番号＃２４０にマップされる第１の同期信号系列ｄ１（ｎ）のインデックスｕは、ｘ１個のインデックスうちいずれかが選択される。図８は、ＯＦＤＭシンボル番号＃２４０に、ｕ＝０の第１の同期信号系列ｄ１＿０（ｎ）がマップされる例である。ＯＦＤＭシンボル番号＃２４１〜＃２７９にマップされる第１の同期信号系列ｄ１（ｎ）のインデックスｕは、同様に、ｘ１個のインデックスうちいずれかが選択される。
【０１１８】
端末装置２０は、セット３において、ＯＦＤＭ＃２４０〜＃２７９に配置された一連の同期信号系列（複数個の第１の同期信号系列ｄ１（ｎ））を用いてセルＩＤの検出及びシ
ンボル同期取得を行う。セット３において、第１の同期信号系列ｄ１（ｎ）の組合せにより、第１の同期信号で特定されるセルＩＤ（Ｎ＿ＩＤ＾（２））が決定される。図８のセット３において、第１の同期信号で特定されるセルＩＤ数はｂ×ｘ１個となる。
【０１１９】
また、ＯＦＤＭ＃２４０〜＃２７９の各々に配置された第１の同期信号系列ｄ１（ｎ）から特定されるセルＩＤをサブセルＩＤとし、セット３のセルＩＤは、前記サブセルＩＤの組合せにより特定することもできる。
【０１２０】
また、端末装置がセット１において同期を確立した場合、基地局装置は、セット２のＯＦＤＭ＃３０〜＃３４の各々に配置された第１の同期信号系列ｄ１（ｎ）の根を、セット１の領域で送信することができる。また、基地局装置は、セット２のＯＦＤＭ＃３０〜＃３４の各々に配置された一連の第１の同期信号系列ｄ１で特定されるセルＩＤをセット１の領域で通知することができる。
【０１２１】
同様に、端末装置がセット１において同期を確立した場合、基地局装置は、セット３のＯＦＤＭ＃２４０〜＃２７９の各々に配置された第１の同期信号系列ｄ１（ｎ）の根を、セット１の領域で送信することができる。また、基地局装置は、セット２のＯＦＤＭ＃２４０〜＃２７９の各々に配置された一連の第１の同期信号系列ｄ１で特定されるセルＩＤをセット１の領域で通知することができる。これにより、基地局装置は、セット２、３のセル探索において、第２の同期信号系列に対してのみexplicitに系列を探索することになる。
【０１２２】
また、端末装置がセット１において同期を確立した場合、基地局装置がセット２、３における第１及び第２の同期信号系列に関する情報を通知することにより、端末装置は、両方の系列についてimplicitに探索することができる。これにより、端末装置が同期確立のために用いる同期信号系列の候補を減らすことができるため、端末装置の同期確立における負荷を低減することができる。
【０１２３】
以上のように、本実施形態では、各無線パラメータセットのサンプリング周波数／ＯＦＤＭシンボル長に応じて、基本となる同期信号系列ｄ１（ｎ）を組み合わせる。これにより、サンプリング周波数が高くなった場合でも、サンプリング誤差による同期取得精度の劣化を防ぐことができる。また、組合される基本となる同期信号系列ｄ１（ｎ）は各々、根が設定される。そして、各無線パラメータセットにおいて、基本となる同期信号系列の組み合わせにより構成される一連の同期信号によりセルＩＤが特定される。このため、セット２、セット３において、第１の同期信号により特定されるセルＩＤの数が増えるため、密なセル配置を行った場合や粗野なセル配置を行った場合でも、他セルからの干渉による同期信号取得及びセルＩＤ検出精度の劣化を防ぐことができる。なお、本実施形態では、第１の同期信号系列としてＺａｄｏｆｆ−Ｃｈｕ系列を用いたがこの限りではなく、端末装置がシンボル同期の取得及びセルＩＤの検出が可能な系列であればよい。
【０１２４】
第２の同期信号系列の例として、Ｍ系列を用いる場合を説明する。第２の同期信号系列は２つのショート系列の結合により生成される。１つの無線フレームにおいて、複数の第２の同期信号系列を配置することができる。この場合、各サブフレームに配置される第２の同期信号はその系列が異なる。図７のセット１における第２の同期信号系列ｄ２は、次式で表される。かかる式は、サブフレーム＃０とサブフレーム＃５に第２の同期信号系列が配置され、同期信号が配置されるサブキャリア数がｒ＝６２の場合の例である。
【数２】
2018207137.tif 000004
ここで、０＜ｎ＜３０である。ｍ０、ｍ１は次式により決定される。また、Ｃ０、Ｃ１、Ｚ１はスクランブル系列である。
【数３】
2018207137.tif 000005
インデックスｍ０、ｍ１はＮ＿ＩＤ＾（１）と関連づけられている。すなわち、ｍ０とｍ１の組合せにより、Ｎ＿ＩＤ＾（１）が特定される。ｍ０とｍ１の組合せとＮ＿ＩＤ＾（１）の対応関係は予め通信システムで規定され、基地局装置及び端末装置は既知とすることができる。Ｎ＿ＩＤ＾（１）は第２の同期信号により特定されるセルＩＤである。
【０１２５】
数式２において、２つのショート系列Ｓ０、Ｓ１は、Ｍ系列Ｓ〜をサイクリックシフトすることにより生成される。ショート系列Ｓ０、Ｓ１は、次式で表される。ショート系列Ｓ０のサイクリックシフト量はｍ０、ショート系列Ｓ１のサイクリックシフト量はｍ１である。
【数４】
2018207137.tif 000006
【０１２６】
セット１において、第２の同期信号が配置されるＯＦＤＭシンボル及びサブキャリアに、数式２〜４により生成された第２の同期信号系列ｄ２がマップされる。第２の同期信号系列ｄ２の系列長は、セット１において１つのスロットに同期信号が配置されるリソースエレメント数と同一にすることができる。また、第２の同期信号系列ｄ２の系列長は、セット１において１つのサブフレームに同期信号が配置されるリソースエレメント数と同一にすることができる。セット１において同期信号がマップされるリソースエレメント数をｒ×ｓ１とすると、第２の同期信号系列ｄ２の系列長は、ｒ×ｓ１となる。セット１及びセット２において配置される第１の同期信号系列ｄ１（ｎ）の系列長もｒ×ｓ１である。図６は、セット１において同期信号が配置されるＯＦＤＭシンボル数ｓ１＝１の場合の例である。すなわち、図７のセット１において、１つのＯＦＤＭシンボル（ＯＦＤＭシンボル＃５）を構成するサブキャリア数ｒに、系列長ｒの第２の同期信号系列ｄ２がマップされる
【０１２７】
セット１において、第２の同期信号が配置されるＯＦＤＭシンボル＃５に、ｍ０、ｍ１のある組合せから数式２〜４により生成された第２の同期信号系列ｄ１（ｎ）が周波数領域にマップされる（周波数領域へのマッピングルールは図８に記載のルールと同様）。端末装置２０は、ＯＦＤＭ＃５に配置された第２の同期信号を用いてセルＩＤの検出及びフレーム同期取得を行う。ここで、第２の同期信号系列ｄ２が特定されるｍ０、ｍ１の組合せの数をｙ１とすると、セット１において、第２の同期信号により特定されるセルＩＤ数（Ｎ＿ＩＤ＾（１）のセルＩＤ数）はｙ１×ｓ１となる。図８は、ｓ１＝１の場合の例であり、セット１において第２の同期信号により特定されるセルＩＤ数はｙ１となる。ｍ０とｍ１の組合せによって特定されるｙ１×ｓ１個の第２の同期信号系列は、第２の同期信号系列候補とも呼ぶ。また、前記第１の同期信号系列候補と第２の同期信号系列候補を総称して、同期信号系列候補とも呼ぶ。
【０１２８】
セット２において、第２の同期信号が配置されるＯＦＤＭシンボル及びサブキャリアに、数式２〜４により生成された複数個の第２の同期信号系列ｄ２がマップされる。セット２において、第２の同期信号系列ｄ２が、ＯＦＤＭシンボル毎に周波数領域にマップされる（周波数領域へのマッピングルールは図８に記載のルールと同様）。セット２において第２の同期信号がマップされるリソースエレメント数をｒ×ｓ２とすると、ｒ×ｓ２＝ｒ
×ａ×ｓ１となる。すなわち、第１の同期信号系列ｄ２が時間領域にａ個並べられる。セット１の第１の同期信号系列ｄ２を基本同期信号系列として、セット２の同期信号が生成される。
【０１２９】
セット２において、時間領域に並べられるａ個の第２の同期信号系列ｄ２は各々、ｙ１個のｍ０、ｍ１の組合せのいずれかから選択される。図７において、ＯＦＤＭシンボル番号＃２５〜＃２９の５個のＯＦＤＭシンボルに第２の同期信号がマップされる。ＯＦＤＭシンボル番号＃２５にマップされる第２の同期信号系列ｄ２のｍ０、ｍ１の組合せは、ｙ１個の組合せのうちのいずれかが選択される。ＯＦＤＭシンボル番号＃２６〜＃２９にマップされる第２の同期信号系列ｄ２のｍ０、ｍ１の組合せは、同様に、ｙ１個の組合せのうちのいずれかが選択される。
【０１３０】
端末装置２０は、図７のセット２において、ＯＦＤＭシンボル＃２５〜＃２９に配置された一連の第１の同期信号系列（複数個の第２の同期信号系列ｄ２）を用いてセルＩＤの検出及びフレーム同期取得を行う。セット２において、第２の同期信号系列ｄ２の組合せにより、第２の同期信号で特定されるセルＩＤ（Ｎ＿ＩＤ＾（１））が決定される。図７のセット２において、第２の同期信号系列ｄ２により特定されるセルＩＤ数はａ×ｙ１個となる。
【０１３１】
セット３において、第２の同期信号が配置されるＯＦＤＭシンボル及びサブキャリアに、数式２〜４により生成された複数個の第２の同期信号系列ｄ２がマップされる。セット３において、第２の同期信号系列ｄ２がＯＦＤＭシンボル毎に周波数領域にマップされる（周波数領域へのマッピングルールは図８に記載のルールと同様）。セット３において第２の同期信号がマップされるリソースエレメント数をｒ×ｓ３とすると、ｒ×ｓ３＝ｒ×ｂ×ｓ１となる。周波数領域にマップされた第１の同期信号系列ｄ２が、時間領域にｂ個並べられる。セット１の第１の同期信号系列ｄ２を基本同期信号系列として、セット３の同期信号が生成される。
【０１３２】
セット３において、時間領域に並べられるｂ個の第２の同期信号系列ｄ２は各々、ｙ１個のｍ０、ｍ１の組合せのいずれかから選択される。図７において、ＯＦＤＭシンボル番号＃２００〜＃２３９の４０個のＯＦＤＭシンボルに第２の同期信号がマップされる。ＯＦＤＭシンボル番号＃２００にマップされる第２の同期信号系列ｄ２のｍ０、ｍ１の組合せは、ｙ１個の組合せのうちいずれかが選択される。ＯＦＤＭシンボル番号＃２０１〜＃２３９にマップされる第２の同期信号系列ｄ２のインデックスｍ０、ｍ１の組合せは、同様に、ｙ１個の組合せのうちのいずれかが選択される。
【０１３３】
端末装置２０は、セット３において、ＯＦＤＭ＃２００〜＃２３９に配置された一連の同期信号系列（複数個の第２の同期信号系列ｄ２）を用いてセルＩＤの検出及びフレーム同期取得を行う。セット３において、第２の同期信号系列ｄ２の組合せにより、第２の同期信号で特定されるセルＩＤ（Ｎ＿ＩＤ＾（１））が決定される。図７のセット３において、第２の同期信号で特定されるセルＩＤ数はｂ×ｙ１個となる。
【０１３４】
また、端末装置がセット１において同期を確立した場合、基地局装置は、セット２のＯＦＤＭシンボル番号＃２５〜＃２９の各々に配置された第２の同期信号系列ｄ２のｍ０、ｍ１を、セット１の領域を用いて送信することができる。また、基地局装置は、セット２のＯＦＤＭシンボル番号＃２５〜＃２９の各々に配置された一連の第２の同期信号系列ｄ２で特定されるセルＩＤをセット１の領域を用いて通知することができる。
【０１３５】
同様に、端末装置がセット１において同期を確立した場合、基地局装置は、セット３のＯＦＤＭシンボル番号＃２００〜＃２３９の各々に配置された第２の同期信号系列ｄ２の
ｍ０、ｍ１を、セット１の領域を用いて送信することができる。また、基地局装置は、セット２のＯＦＤＭシンボル番号＃２００〜＃２３９の各々に配置された一連の第１の同期信号系列ｄ２で特定されるセルＩＤをセット１の領域を用いて通知することができる。これにより、基地局装置は、セット２、３のセル探索において、第１の同期信号系列に対してのみexplicitに系列を探索することになる。これにより、端末装置が同期確立のために用いる同期信号系列の候補を減らすことができるため、端末装置の同期確立における負荷を低減することができる
【０１３６】
以上のように、本実施形態では、各無線パラメータセットのサンプリング周波数／ＯＦＤＭシンボル長に応じて、基本となる同期信号系列ｄ２を組み合わせる。これにより、サンプリング周波数が高くなった場合でも、サンプリング誤差による同期取得精度の劣化を防ぐことができる。また、組合される基本となる同期信号系列ｄ２は各々、その基本となる同期信号系列のサイクリックシフト量が設定される。そして、各無線パラメータセットにおいて、その基本となる同期信号系列の組み合わせにより構成される一連の同期信号によりセルＩＤが特定される。このため、セット２、セット３において、第２の同期信号により特定されるセルＩＤの数が増えるため、密なセル配置を行った場合や粗野なセル配置を行った場合でも、他セルからの干渉による同期信号取得及びセルＩＤ検出精度の劣化を防ぐことができる。なお、本実施形態では、第２の同期信号系列としてＭ系列を用いたがこの限りではなく、端末装置がフレーム同期の取得及びセルＩＤの検出が可能な系列であればよい。
【０１３７】
図９は、本実施形態に係る無線アクセス技術におけるサブフレームあたりのＯＦＤＭシンボルの別の構成例を示す図である。図９におけるセット１〜セット３は各々、図２〜図６と対応する。セット１は１つサブフレームあたり１４個のＯＦＤＭシンボルから構成される例である。各サブフレームは２つのスロットから構成される。セット１は１つスロットあたり７個のＯＦＤＭシンボルから構成される。セット２は、１つサブフレームあたり７０個のＯＦＤＭシンボルから構成される例である。セット２は１つスロットあたり３５個のＯＦＤＭシンボルから構成される。セット３は１つサブフレームあたり５６０個のＯＦＤＭシンボルから構成される例である。セット３は１つスロットあたり２８０個のＯＦＤＭシンボルから構成される。
【０１３８】
図９の例では、セット２、セット３におけるサンプリング周波数は各々、セット１のサンプリング周波数に対して５倍、４０倍である。セット２、セット３におけるＯＦＤＭシンボル長は各々、セット１のＯＦＤＭシンボル長に対して５分の１、４０分の１である。
【０１３９】
図９は、無線フレームにおいて同期信号が配置されたサブフレーム（図５におけるサブフレーム＃０、又は＃５）を示す。図９において、右上がり斜線部のＯＦＤＭシンボルは、第１の同期信号が配置される。セット１において、１つのサブフレームを構成する複数のＯＦＤＭシンボル（セット１のＯＦＤＭシンボル番号＃３〜＃１３）に第１の同期信号がマップされる。図８において、白抜き部のＯＦＤＭシンボルは、同期信号が配置されないＯＦＤＭシンボルである。例えば、図９におけるＯＦＤＭシンボル＃０〜＃２は下りリンク制御情報が配置される区間であるため、同期信号はマップされない。セット１、セット２及びセット３において、同期信号がマップされる時間の長さは同じである。セット１、セット２及びセット３において、同期信号が配置されるＯＦＤＭシンボル数は異なる。図９において、セット２に配置される同期信号のＯＦＤＭシンボル数は、セット１に配置される同期信号のＯＦＤＭシンボル数の５倍である。セット３に配置される同期信号のＯＦＤＭシンボル数は、セット１に配置される同期信号のＯＦＤＭシンボル数の４０倍である。なお、図９は、同期信号が配置されるＯＦＤＭシンボルは、サンプリング周波数、ＯＦＤＭシンボル長との関係で設定されることを示す一例であり、本発明はかかるパラメータ値に限定されない。
【０１４０】
図９において、１つのサブフレームを構成する一部のＯＦＤＭシンボルに第１の同期信号が配置される例である。第１の同期信号は、シンボル同期を取得するために用いることができる。第１の同期信号は、フレーム同期を取得するために用いることができる。第１の同期信号は、セルＩＤを検出するために用いることができる。
【０１４１】
図９において、第１の同期信号のために使われる系列長は、第１の同期信号が配置されるサブキャリア数とＯＦＤＭシンボル数により決定される。ここで、セット１、セット２、セット３において同期信号が配置されるＯＦＤＭシンボル数は各々、ｓ１、ｓ２、ｓ３とおくと、ｓ２＝ａ×ｓ１、ｓ３＝ｂ×ｓ２となる。例えば、ａはセット１とセット２のサンプリング周波数の比、ｂはセット１とセット３のサンプリング周波数の比である。図９では、ｓ１＝１１、ｓ２＝５５、ｓ３＝４４０、ａ＝５、ｂ＝４０である。また、セット１〜セット３において同期信号が配置されるサブキャリア数はｒである（図５、図６）。
【０１４２】
図９のセット１において、第１の同期信号が配置されるＯＦＤＭシンボル及びサブキャリアに、図７のテーブルのうち、あるインデックスｕで生成された第１の同期信号系列ｄ１（ｎ）がマップされる。
【０１４３】
図１０は、本実施形態に係る第１の同期信号の別の配置例を示す図である。図１０におけるセット１〜セット３は各々、図２〜図６及び図９と対応する。図１０において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。第１の同期信号系列ｄ１（ｎ）の系列長は、セット１における１つのＯＦＤＭシンボルに同期信号が配置されるリソースエレメント数と同一にすることができる。すなわち、セット１において同期信号がマップされるリソースエレメント数をｒ×ｓ１とすると、第１の同期信号系列ｄ１（ｎ）の系列長は、ｒとなる。図１０のセット２及びセット３において配置される第１の同期信号系列ｄ１（ｎ）の系列長もｒである。
【０１４４】
図１０のセット１において、第１の同期信号が配置されるＯＦＤＭシンボル及びサブキャリアに、インデックスｕののテーブルのうち、あるインデックスｕで生成された複数個の第１の同期信号系列ｄ１＿ｕ（ｎ）がマップされる。セット１において、第１の同期信号系列ｄ１（ｎ）が、ＯＦＤＭシンボル毎に周波数領域にマップされることにより生成される。セット１において、時間領域に並べられる第１の同期信号系列ｄ１（ｎ）の数はｓ１個となる。
【０１４５】
図１０のセット１において、時間領域に並べられるｓ１個の第１の同期信号系列ｄ１（ｎ）は各々、ｘ１個のインデックスｕのいずれかから選択される。図１０において、ＯＦＤＭシンボル番号＃３〜＃１３の１１個のＯＦＤＭシンボルに第１の同期信号がマップされる。ＯＦＤＭシンボル番号＃３にマップされる第１の同期信号系列ｄ１（ｎ）のインデックスｕは、ｘ１個のインデックスうちいずれかが選択される。図１０は、ＯＦＤＭシンボル番号＃３に、ｕ＝０の第１の同期信号系列ｄ１＿０（ｎ）がマップされる例である。ＯＦＤＭシンボル番号＃４〜＃１３にマップされる第１の同期信号系列ｄ１（ｎ）のインデックスｕは、同様に、ｘ１個のインデックスうちいずれかが選択される。
【０１４６】
端末装置２０は、ＯＦＤＭシンボル＃３〜＃１３に配置された一連の同期信号系列を用いてセルＩＤの検出及びシンボル同期取得を行う。また、端末装置２０は、ＯＦＤＭシンボル＃３〜＃１３に配置された一連の同期信号系列を用いてフレーム同期取得を行うこともできる。図１０のセット１において、第１の同期信号系列ｄ１（ｎ）の組合せにより特
定されるセルＩＤ数は、ｓ１×ｘ１個となる。すなわち、セット１において、第１の同期信号により特定されるセルＩＤ数は、ｓ１×ｘ１個となる。
【０１４７】
セット２において、第１の同期信号が配置されるＯＦＤＭシンボル及びサブキャリアに、インデックスｕで生成された複数個の第１の同期信号系列ｄ１（ｎ）がマップされる。セット２において、第１の同期信号系列ｄ１（ｎ）がＯＦＤＭシンボル毎に周波数領域にマップされる。セット２において同期信号がマップされるリソースエレメント数をｒ×ｓ２とすると、ｒ×ｓ２＝ｒ×ａ×ｓ１となる。周波数領域にマップされた第１の同期信号系列ｄ１（ｎ）が時間領域にａ×ｓ１個並べられる。
【０１４８】
図１０のセット２において、時間領域に並べられるａ×ｓ１個の第１の同期信号系列ｄ１（ｎ）は各々、ｘ１個のインデックスｕのいずれかから選択される。図１０において、ＯＦＤＭシンボル番号＃１５〜＃６９のＯＦＤＭシンボルに第１の同期信号がマップされる。ＯＦＤＭシンボル番号＃１５にマップされる第１の同期信号系列ｄ１（ｎ）のインデックスｕは、ｘ１個のインデックスうちいずれかが選択される。図１０は、ＯＦＤＭシンボル番号＃１５に、ｕ＝０の第１の同期信号系列ｄ１＿０（ｎ）がマップされる例である。ＯＦＤＭシンボル番号＃１６〜＃６９にマップされる第１の同期信号系列ｄ１（ｎ）のインデックスｕは、同様に、ｘ１個のインデックスうちいずれかが選択される。
【０１４９】
端末装置２０は、図１０のセット２において、ＯＦＤＭ＃１６〜＃６９に配置された一連の同期信号系列（複数個の第１の同期信号系列ｄ１（ｎ）の塊）を用いてセルＩＤの検出及びシンボル同期取得を行う。また、端末装置２０は、ＯＦＤＭ＃１６〜＃６９に配置された一連の同期信号系列を用いてフレーム同期取得を行うこともできる。セット２において、第１の同期信号系列ｄ１（ｎ）の組合せにより、第１の同期信号で特定されるセルＩＤ（Ｎ＿ＩＤ＾（２））が決定される。図１０のセット２において、第１の同期信号系列ｄ１（ｎ）の組合せにより特定されるセルＩＤ数はａ×ｓ１×ｘ１個となる。
【０１５０】
セット３において、第１の同期信号が配置されるＯＦＤＭシンボル及びサブキャリアに、インデックスｕで生成された複数個の第１の同期信号系列ｄ１（ｎ）がマップされる。セット３において、第１の同期信号系列ｄ１（ｎ）が、ＯＦＤＭシンボル毎に周波数領域にマップされる。セット３において第１の同期信号がマップされるリソースエレメント数をｒ×ｓ３とすると、ｒ×ｓ３＝ｒ×ｂ×ｓ１となる。第１の同期信号系列ｄ１（ｎ）が時間領域にｂ×ｓ１個並べられる。
【０１５１】
図１０のセット３において、時間領域に並べられるｂ×ｓ１個の第１の同期信号系列ｄ１（ｎ）は各々、ｘ１個のインデックスｕのいずれかから選択される。図１０において、ＯＦＤＭシンボル番号＃１２０〜＃５９９のＯＦＤＭシンボルに同期信号がマップされる。ＯＦＤＭシンボル番号＃１２０にマップされる第１の同期信号系列ｄ１（ｎ）のインデックスｕは、ｘ１個のインデックスうちいずれかが選択される。図１０は、ＯＦＤＭシンボル番号＃１２０に、ｕ＝０の第１の同期信号系列ｄ１＿０（ｎ）、（ｎ＝０，１，・・・，ｒ−１）がマップされる例である。ＯＦＤＭシンボル番号＃１２１〜＃５９９にマップされる第１の同期信号系列ｄ１（ｎ）のインデックスｕは、同様に、ｘ１個のインデックスうちいずれかが選択される。
【０１５２】
端末装置２０は、ＯＦＤＭ＃１２１〜＃５９９に配置された一連の同期信号系列（複数個の第１の同期信号系列ｄ１（ｎ））を用いてセルＩＤの検出及びシンボル同期取得を行う。また、端末装置２０は、ＯＦＤＭ＃１２１〜＃５９９に配置された一連の同期信号系列を用いてフレーム同期取得を行うこともできる。セット３において、第１の同期信号系列ｄ１（ｎ）の組合せにより、第１の同期信号で特定されるセルＩＤ（Ｎ＿ＩＤ＾（２））が決定される。図１０のセット３において、第１の同期信号で特定されるセルＩＤ数は
ｂ×ｓ１×ｘ１個となる。
【０１５３】
図１１は、本実施形態に係る第１の同期信号の別の配置例を示す図である。図１１におけるセット１〜セット３は各々、図２〜図７及び図９と対応する。図１１において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。図１１におけるセット１のサブキャリア数ｒは、図４のセット１の領域において同期信号が配置されたサブキャリアと対応する。同様に、図１１におけるセット２のサブキャリア数ｒは、図４のセット２の領域において同期信号が配置されたサブキャリアと対応する。図１１におけるセット３のサブキャリア数ｒは、図４のセット３の領域において同期信号が配置されたサブキャリアと対応する。図１１は、セット１〜セット３において、同一時間長に同期信号が配置される場合の例である。
【０１５４】
セット１において、第１の同期信号が配置されるＯＦＤＭシンボル及びサブキャリアに、インデックスｕのテーブルのあるインデックスｕで生成された複数個の第１の同期信号系列ｄ１（ｎ）がマップされる。セット１における第１の同期信号は、第１の同期信号系列ｄ１（ｎ）がＯＦＤＭシンボル毎に周波数領域にマップされることにより生成される。セット１において、時間領域に並べられる同期信号系列ｄ１（ｎ）の数はｓ１個となる。
【０１５５】
図１１のセット１において、時間領域に並べられるｓ１個の第１の同期信号系列ｄ１（ｎ）は各々、ｘ１個のインデックスｕのいずれかから選択される。図１１において、ＯＦＤＭシンボル番号＃３〜＃１３の１１個のＯＦＤＭシンボルに第１の同期信号がマップされる。ＯＦＤＭシンボル番号＃３にマップされる第１の同期信号系列ｄ１（ｎ）のインデックスｕは、ｘ１個のインデックスうちいずれかが選択される。図１１は、ＯＦＤＭシンボル番号＃３に、ｕ＝０の第１の同期信号系列ｄ１＿０（ｎ）がマップされる例である。ＯＦＤＭシンボル番号＃４〜＃１３にマップされる第１の同期信号系列ｄ１（ｎ）のインデックスｕは、同様に、ｘ１個のインデックスうちいずれかが選択される。図１１のＯＦＤＭシンボル番号＃１３にｕ＝２の第１の同期信号系列ｄ１＿２（ｎ）がマップされる例である。
【０１５６】
端末装置２０は、ＯＦＤＭ＃３〜＃１３に配置された一連の同期信号系列を用いてセルＩＤの検出及びシンボル同期取得を行う。また、端末装置２０は、ＯＦＤＭシンボル＃３〜＃１３に配置された一連の同期信号系列を用いてフレーム同期取得を行うこともできる。図１１のセット１において、第１の同期信号系列ｄ１（ｎ）の組合せにより特定されるセルＩＤ数は、ｓ１×ｘ１個となる。すなわち、セット１において、第１の同期信号により特定されるセルＩＤ数は、ｓ１×ｘ１個となる。
【０１５７】
セット２において、第１の同期信号が配置されるＯＦＤＭシンボル及びサブキャリアに、インデックスｕで生成された複数個の第１の同期信号系列ｄ１（ｎ）がマップされる。セット２において、セット１で配置された第１の同期信号系列ｄ１（ｎ）のインデックスｕが反映される。図１１において、セット１のＯＦＤＭシンボル＃３〜＃１３の各々に配置された第１の同期信号系列ｄ１（ｎ）のインデックスｕが、順に（０、１、０、１・・・、２）である場合、セット２では、同様のインデックス順（０、１、０、１・・・、２）が繰り返される（図１１の一点鎖線の範囲）。ここので、図１１の一点鎖線の範囲をセット１の第１の同期信号系列群と呼ぶ。セット２において、第１の同期信号系列群が時間領域にａ個並べられる。すなわち、図１１において、セット１のＯＦＤＭシンボル＃３〜＃１３の各々に配置された第１の同期信号系列ｄ１（ｎ）のインデックス順が、セット２のＯＦＤＭシンボル＃１５〜＃２６、ＯＦＤＭシンボル＃２７〜＃３８・・・、のＯＦＤＭシンボル＃６５〜＃６９と反復される。
【０１５８】
図１１のセット２において、第１の同期信号系列群を構成する第１の同期信号系列ｄ１（ｎ）は各々、ｘ１個のインデックスｕのいずれかから選択される。端末装置２０は、第１の同期信号系列群を構成する一連の同期信号系列を用いてセルＩＤの検出及びシンボル同期取得を行う。また、端末装置２０は、ＯＦＤＭシンボル＃３〜＃１３に配置された一連の同期信号系列を用いてフレーム同期取得を行うこともできる。図１１のセット２において、第１の同期信号系列群を構成する第１の同期信号系列ｄ１（ｎ）の組合せにより特定されるセルＩＤ数は、ｓ１×ｘ１個となる。すなわち、セット２において、第１の同期信号により特定されるセルＩＤ数は、ｓ１×ｘ１個となる。
【０１５９】
図１１のセット３において、第１の同期信号が配置されるＯＦＤＭシンボル及びサブキャリアに、インデックスｕで生成された複数個の第１の同期信号系列ｄ１（ｎ）がマップされる。セット３において、セット１で配置された第１の同期信号系列ｄ１（ｎ）のインデックスｕが反映される。図１１において、セット１のＯＦＤＭシンボル＃３〜＃１３の各々に配置された第１の同期信号系列ｄ１（ｎ）のインデックスｕが、順に（０、１、０、１・・・、２）である場合、セット３では、同様のインデックス順（０、１、０、１・・・、２）が繰り返される（図１１のセット３おの一点鎖線の範囲）。セット３において、第１の同期信号系列群が時間領域にｂ個並べられる。すなわち、図１１において、セット１のＯＦＤＭシンボル＃３〜＃１３の各々に配置された第１の同期信号系列ｄ１（ｎ）のインデックス順が、セット３のＯＦＤＭシンボル＃１２０〜＃１３１、・・・、ＯＦＤＭシンボル＃５４８〜＃５５９と反復される。
【０１６０】
図１１のセット３において、第１の同期信号系列群を構成する第１の同期信号系列ｄ１（ｎ）は各々、ｘ１個のインデックスｕのいずれかから選択される。端末装置２０は、第１の同期信号系列群を構成する一連の同期信号系列を用いてセルＩＤの検出及びシンボル同期取得を行う。また、端末装置２０は、ＯＦＤＭシンボル＃３〜＃１３に配置された一連の同期信号系列を用いてフレーム同期取得を行うこともできる。図１１のセット３において、第１の同期信号系列群を構成する第１の同期信号系列ｄ１（ｎ）の組合せにより特定されるセルＩＤ数は、ｓ１×ｘ１個となる。すなわち、セット３において、第１の同期信号により特定されるセルＩＤ数は、ｓ１×ｘ１個となる。
【０１６１】
図８、１０、１１は、セット１、セット２及びセット３において、同期信号系列ｄ１、ｄ２をサブキャリア番号の小さい方から順にマップしているが、ＯＦＤＭシンボル毎に変えてもよい。例えば、あるＯＦＤＭシンボルでは同期信号系列をサブキャリア番号の小さい方から順にマップし、ＯＦＤＭシンボルでは同期信号系列をサブキャリア番号の大きい方から順にマップする。これにより、同期信号により特定されるセルＩＤ数を増やすことができる。
【０１６２】
図１２は、本実施形態における基地局装置１０〜１２の構成を示す概略ブロック図である。図１２に示すように、基地局装置１０〜１２は、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５‐１〜１０３５‐３、同期信号生成部（同期信号生成ステップ）１０３６を含んで構成される。また、受信部１０４は、無線受信部（無線受信ステップ）１０４１−１〜１０４１−３、多重分離部（多重分離ステップ）１０４２、復調部（復調ステップ）１０４３、復号部（復号ステップ）１０４４を含ん
で構成される。
【０１６３】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【０１６４】
上位層処理部１０１は、端末装置の機能（UE capability）等、端末装置に関する情報
を端末装置から受信する。言い換えると、端末装置は、自身の機能を基地局装置に上位層の信号で送信する。上位層処理部１０１は、端末装置の機能がどの無線パラメータセット（図２）をサポートするかどうかを示す情報を含めることができる。
【０１６５】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【０１６６】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。また、例えば、無線パラメータセットが複数ある場合（図２）、端末装置は、無線パラメータセット毎にサポートするかどうかを示す情報を送信することができる。
【０１６７】
無線リソース制御部１０１１は、下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【０１６８】
スケジューリング部１０１２は、物理チャネル（下りリンクデータチャネル及び上りリンクデータチャネル）を割り当てる周波数およびサブフレーム、物理チャネルの符号化率および変調方式（あるいはＭＣＳ）および送信電力などを決定する。スケジューリング部１０１２は、決定した情報を制御部１０２に出力する。スケジューリング部１０１２は、異なる無線パラメータセット（図２）に対して、物理チャネルを割り当てることができる。
【０１６９】
スケジューリング部１０１２は、スケジューリング結果に基づき、物理チャネルのスケジューリングに用いられる情報を生成する。スケジューリング部１０１２は、生成した情報を制御部１０２に出力する。
【０１７０】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１７１】
送信部１０３は、制御部１０２から入力された制御信号に従って、下りリンク参照信号及び同期信号を生成し、上位層処理部１０１から入力されたＨＡＲＱインディケータ、下りリンク制御情報、および、下りリンクデータを、符号化および変調し、ＨＱＲＱ指示チャネル、下りリンク制御チャネル、下りリンクデータチャネル、下りリンク参照信号及び同期信号を多重して、送受信アンテナ１０５を介して端末装置２に信号を送信する。
【０１７２】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１７３】
下りリンク参照信号生成部１０３３は、基地局装置１０〜１２を識別するための物理セル識別子（ＰＣＩ、セルＩＤ）などを基に予め定められた規則で求まる、端末装置２０が既知の系列を下りリンク参照信号として生成する。
【０１７４】
同期信号生成部１０３６は、送信部１０３に適用される無線パラメータセットに応じて、同期信号系列を生成する。同期信号生成部１０３６において、同期信号系列の生成に用いられる根（ルート）、サイクリックシフトパラメータは、上位層処理部１０１から取得したセルＩＤに基づいて設定することができる。同期信号生成部１０３６は、上位層処理部１０１から取得した無線パラメータセットを示す情報に基づいて、同期信号系列の系列長を設定することができる。
【０１７５】
多重部１０３４は、変調された各チャネルの変調シンボルと生成された下りリンク参照信号と同期信号と下りリンク制御情報とを多重する。つまり、多重部１０３４は、変調された各チャネルの変調シンボルと生成された下りリンク参照信号と下りリンク制御情報と同期信号をリソースエレメントに配置する。例えば、各信号の配置は、図３〜図７、図８〜図１１に記載のリソースエレメントに配置される。多重部１０３４は、上位層処理部１０１から取得した無線パラメータセットを示す情報に基づいて、同期信号を配置するリソースエレメントを把握することができる。
【０１７６】
無線送信部１０３５−１〜１０３５−３は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベース
バンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１７７】
無線送信部１０３５−１〜１０３５−３は各々、図２の無線パラメータセット１〜３に対応付けられる。無線送信部１０３５−１〜１０３５−３は、対応付けられた無線パラメータセットの周波数帯域幅、サブキャリア間隔、サンプリング周波数、ＦＦＴポイント数等に基づいて、逆高速フーリエ変換してＯＦＤＭシンボルを生成する。また、無線パラメータセットの周波数帯域幅、サブキャリア間隔、サンプリング周波数、ＦＦＴポイント数等に基づいて、フィルタリング、搬送周波数へのアップコンバートを行う。基地局装置１０〜１２は、適用する無線パラメータセットに応じて、無線送信部１０３５−１〜１０３５−３を適用する。なお、アンテナ１０５は、無線送信部１０３５−１〜１０３５−３から送信される搬送波周波数に応じて備えられる。
【０１７８】
受信部１０４は、制御部１０２から入力された制御信号に従って、送受信アンテナ１０５を介して端末装置２０から受信した受信信号を分離、復調、復号し、復号した情報を上位層処理部１０１に出力する。
【０１７９】
無線受信部１０４１−１〜１０４１−３は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１８０】
無線受信部１０４１−１〜１０４１−３は各々、図２の無線パラメータセット１〜３に対応付けられる。無線送信部１０４１−１〜１０４１−３は、対応付けられた無線パラメータセットの周波数帯域幅、サブキャリア間隔、サンプリング周波数、ＦＦＴポイント数等に基づいて、ベースバンド信号にダウンコンバートする。なお、アンテナ１０５は、無線送信部１０４１−１〜１０４１−３から受信される搬送波周波数に応じて備えられる。
【０１８１】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する無線
送信部１０４１−１〜１０４１−３は、対応付けられた無線パラメータセットの周波数帯域幅、サブキャリア間隔、サンプリング周波数、ＦＦＴポイント数等に基づいて、ＣＰ除去、ＦＦＴ処理を行う。基地局装置１０〜１２は、適用する無線パラメータセットに応じて、無線送信部１０４１−１〜１０４１−３を適用する。
【０１８２】
基地局装置１０〜１２において、送信部１０３は受信部１０４と異なる無線パラメータセットを適用することができる。例えば、基地局装置は、端末装置２０と無線パラメータセット１を用いて上りリンクの無線伝送を行い、無線パラメータセット３を用いて下りリンクの無線伝送を行うことができる。
【０１８３】
多重分離部１０４２は、無線受信部１０４１−１〜１０４１−３から入力された信号を上りリンク制御チャネル、上りリンクデータチャネル、上りリンク参照信号などの信号に分離する。なお、この分離は、予め基地局装置１０〜１２が無線リソース制御部１０１１で決定し、端末装置２０に通知した上りリンクグラントに含まれる無線リソースの割り当て情報に基づいて行なわれる。
【０１８４】
また、多重分離部１０４２は、上りリンク制御チャネルと上りリンクデータチャネルの伝搬路の補償を行なう。また、多重分離部１０４２は、上りリンク参照信号を分離する。
【０１８５】
復調部１０４３は、上りリンクデータチャネルを逆離散フーリエ変換（Inverse Discrete Fourier Transform: IDFT）し、変調シンボルを取得し、上りリンク制御チャネルと上りリンクデータチャネルの変調シンボル各々に対して、ＢＰＳＫ、ＱＰＳＫ、１６ＱＡＭ、６４ＱＡＭ、２５６ＱＡＭ等の予め定められた、または自装置が端末装置２０各々に上りリンクグラントで予め通知した変調方式を用いて受信信号の復調を行なう。
【０１８６】
復号部１０４４は、復調された上りリンク制御チャネルと上りリンクデータチャネルの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。上りリンクデータチャネルが再送信の場合は、復号部１０４４は、上位層処理部１０１から入力されるＨＡＲＱバ
ッファに保持している符号化ビットと、復調された符号化ビットを用いて復号を行なう。
【０１８７】
図１３は、本実施形態における端末装置２０の構成を示す概略ブロック図である。図１３に示すように、端末装置２０は、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５‐１〜２０３５‐３を含んで構成される。また、受信部２０４は、無線受信部（無線受信ステップ）２０４１−１〜２０４１−３、多重分離部（多重分離ステップ）２０４２、信号検出部（信号検出ステップ）２０４３、同期検出部（同期検出ステップ）２０４４を含んで構成される。
【０１８８】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１８９】
上位層処理部２０１は、自端末装置がサポートしている端末装置の機能を示す情報を、送信部２０３に出力する。上位層処理部２０１は、端末装置の機能に、どの無線パラメータセット（図２）をサポートするかどうかを示す情報を含めることができる。
【０１９０】
無線リソース制御部２０１１は、自端末装置の各種設定情報の管理をする。また、無線リソース制御部２０１１は、上りリンクの各チャネルに配置される情報を生成し、送信部２０３に出力する。無線リソース制御部２０１１は、基地局装置から送信されたＣＳＩフィードバックに関する設定情報を取得し、制御部２０２に出力する。
【０１９１】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１９２】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。制御部２０２は、チャネル状態情報生成部２０５が生成したＣＳＩを基地局装置に送信するように送信部２０３を制御する。
【０１９３】
受信部２０４は、制御部２０２から入力された制御信号に従って、送受信アンテナ２０６を介して基地局装置１０〜１２から受信した受信信号を、分離、復調、復号し、復号した情報を上位層処理部２０１に出力する。
【０１９４】
無線受信部２０４１−１〜２０４１−３は各々、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信
号の同相成分および直交成分に基づいて、直交復調し、直交復調されたアナログ信号をディジタル信号に変換する。
【０１９５】
無線送信部２０４１−１〜２０４１−３は各々、図２の無線パラメータセット１〜３に対応付けられる。無線送信部２０４１−１〜２０４１−３は、対応付けられた無線パラメータセットの周波数帯域幅、サブキャリア間隔、サンプリング周波数、ＦＦＴポイント数等に基づいて、送受信アンテナ２０６を介して受信した下りリンクの信号を、ダウンコンバートによりベースバンド信号に変換し、不要な周波数成分を除去し、信号レベルが適切に維持されるように増幅レベルを制御する。なお、送受信アンテナ２０６は、無線送信部２０４１−１〜２０４１−３で処理される搬送波周波数に応じて備えられる。
【０１９６】
無線受信部２０４１−１〜２０４１−３は、変換したディジタル信号からＣＰに相当する部分を除去し、ＣＰを除去した信号に対して高速フーリエ変換を行い、周波数領域の信号を抽出する。無線送信部２０４１−１〜２０４１−３は、対応付けられた無線パラメータセットの周波数帯域幅、サブキャリア間隔、サンプリング周波数、ＦＦＴポイント数等に基づいて、高速フーリエ変換を行い、周波数領域の信号を抽出する。
【０１９７】
無線受信部２０４１−１〜２０４１−３は、対応付けられた無線パラメータセットの周波数帯域幅、サブキャリア間隔、サンプリング周波数、ＦＦＴポイント数等に基づいて、送受信アンテナ２０６を介して受信した同期信号を取得する。無線受信部２０４１−１〜２０４１−３は、対応付けられた無線パラメータセットにおいて同期信号が配置された周波数帯域幅を通過するフィルタリングを行う。
【０１９８】
多重分離部２０４２は、抽出した信号をＨＡＲＱ指示チャネル、下りリンク制御チャネル、下りリンクデータチャネルおよび下りリンク参照信号に、それぞれ分離する。また、多重分離部２０４２は、チャネル測定から得られた所望信号のチャネルの推定値に基づいて、ＨＡＲＱ指示チャネル、ダウンリンク制御チャネルのチャネル補償を行ない、下りリンク制御情報を検出し、制御部２０２に出力する。また、制御部２０２は、下りリンクデータチャネルおよび所望信号のチャネル推定値を信号検出部２０４３に出力する。
【０１９９】
信号検出部２０４３は、下りリンクデータチャネル、下りリンク制御チャネル及びチャネル推定値を用いて、信号検出し、上位層処理部２０１に出力する。信号検出部２０４３は、下りリンクデータチャネル／下りリンク制御チャネルから、上りリンクの無線通信／下りリンクの無線通信に適用される無線パラメータセットを示す情報を取得することができる。信号検出部２０４３は、上りリンクの無線通信／下りリンクの無線通信に適用される無線パラメータセットを示す情報を、上位層処理部２０１に通知することができる。
【０２００】
同期検出部２０４４は、無線受信部２０４１−１〜２０４１−３を介して取得した同期信号を用いて、セル探索を行う。同期検出部２０４４は、無線受信部２０４１−１〜２０４１−３を介して、無線パラメータセット１〜３の同期信号を用いて、セル探索を行う。同期検出部２０４４は、セル探索手順において、フレーム同期、シンボル同期及びセルＩＤの検出を行う。多重分離部２０４２、信号検出部２０４３は、同期部２０４４で取得したシンボル同期タイミング、フレーム同期タイミングに従って、各々の処理を行う。
【０２０１】
送信部２０３は、制御部２０２から入力された制御信号に従って、上りリンク参照信号を生成し、上位層処理部２０１から入力された上りリンクデータ（トランスポートブロック）を符号化および変調し、上りリンク制御チャネル、上りリンクデータチャネル及び生成した上りリンク参照信号を多重し、送受信アンテナ２０６を介して基地局装置１０〜１２に送信する。
【０２０２】
符号化部２０３１は、上位層処理部２０１から入力された上りリンク制御情報を畳み込み符号化、ブロック符号化等の符号化を行う。また、符号化部２０３１は、上りリンクデータチャネルのスケジューリングに用いられる情報に基づきターボ符号化を行なう。
【０２０３】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０２０４】
上りリンク参照信号生成部２０３３は、基地局装置１０〜１２を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０２０５】
多重部２０３４は、制御部２０２から入力された制御信号に従って、上りリンクデータチャネルの変調シンボルを並列に並び替えてから離散フーリエ変換（Discrete Fourier Transform: DFT）する。多重部２０３４は、端末装置２０が上りリンクの無線伝送におい
て適用する無線パラメータセットのＦＦＴポイント数、サンプリング周波数等に基づいて、離散フーリエ変換を行う。
【０２０６】
多重部２０３４は、上りリンク制御チャネルと上りリンクデータチャネルと生成した上りリンク参照信号を送信アンテナポート毎に多重する。つまり、多重部２０３４は、上りリンク制御チャネルと上りリンクデータチャネルと生成した上りリンク参照信号を送信アンテナポート毎にリソースエレメントに配置する。多重部２０３４は、端末装置２０が上りリンクの無線伝送において適用する無線パラメータセットに基づいて、上りリンク制御チャネルと上りリンクデータチャネルと生成した上りリンク参照信号を送信アンテナポート毎にリソースエレメントに配置する。多重部２０３４は、上りリンクの無線伝送において適用する無線パラメータセットを示す情報を上位層処理部２０１から取得することができる。
【０２０７】
無線送信部２０３５−１〜２０３５−３は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０２０８】
無線送信部２０３５−１〜２０３５−３は各々、図２の無線パラメータセット１〜３に対応付けられる。適用する無線パラメータセットに関する情報は、上位層処理部２０１から取得することができる。無線送信部２０３５−１〜２０３５−３は、対応付けられた無線パラメータセットの周波数帯域幅、サブキャリア間隔、サンプリング周波数、ＦＦＴポイント数等に基づいて、逆高速フーリエ変換してＳＣ−ＦＤＭＡシンボル或いはＯＦＤＭシンボルを生成する。また、無線パラメータセットの周波数帯域幅、サブキャリア間隔、サンプリング周波数、ＦＦＴポイント数等に基づいて、フィルタリング、搬送周波数へのアップコンバートを行う。端末装置２０は、適用する無線パラメータセットに応じて、無線送信部２０３５−１〜２０３５−３を適用する。なお、アンテナ２０６は、無線送信部２０３５−１〜２０３５−３から送信される搬送波周波数に応じて備えられる。
【０２０９】
図１４は、実施形態に係る端末装置のセル探索フロー例を示す図である。端末装置２０は、サポートしている無線パラメータセットのうちのいずれかを設定する（Ｓ１０１）。
図２では、端末装置２０は、無線パラメータセット１〜３のいずれかを設定する。端末装置２０は、設定した無線パラメータセットに基づいて、第１の同期信号の検出を行う（Ｓ１０２）。例えば、端末装置２０は、インデックスｕののいずれかのインデックスｕを用いて第１の同期信号系列ｄ１のレプリカを生成する。端末装置２０は、その第１の同期信号系列ｄ１のレプリカと受信信号に含まれる第１の同期信号との相関処理を行う。
【０２１０】
端末装置２０は、相関処理の結果、受信信号に含まれる第１の同期信号系列のインデックスｕが特定でない場合（Ｓ１０３のＮＯ）、端末装置２０は、異なる無線パラメータセットでセル検索をするか、同じ無線パラメータセットで再度セル探索するか、を選択する（Ｓ１０４）。端末装置２０は、異なる無線パラメータセットで再度セル検索をする場合（Ｓ１０４のＹＥＳ）、無線パラメータセットを再度設定する（Ｓ１０１に戻る）。端末装置２０は、同じ無線パラメータセットで再度セル探索する場合（Ｓ１０４のＮＯ）、第１の同期信号検出処理に戻る（Ｓ１０２に戻る）。
【０２１１】
端末装置２０は、相関処理の結果、受信信号に含まれる第１の同期信号系列のインデックスｕが特定できた場合（Ｓ１０３のＹＥＳ）、端末装置２０は、第１の同期信号により定められるセルＩＤとシンボル同期を確立する。ここで、端末装置２０は、Ｓ１０１で設定した無線パラメータセットにおいて、第２の同期信号を利用したセルＩＤの特定やフレーム同期の取得が必要か否か判断する（Ｓ１０５）。
端末装置２０は、設定した無線パラメータセットにおいて、第１の同期信号のみでセル探索が確立する場合（Ｓ１０５のＮＯ）、第１の同期信号のみで接続可能なセルＩＤを特定し、シンボル同期及びフレーム同期を確立する（Ｓ１０８）例えば、設定した無線パラメータセットの無線フレームが図８の無線フレームの場合である。
【０２１２】
Ｓ１０１で設定した無線パラメータセットにおいて、第２の同期信号を利用したセルＩＤの特定やフレーム同期の取得が必要な場合（Ｓ１０５のＹＥＳ）、第２の同期信号の検出を行う（Ｓ１０６）。例えば、端末装置２０は、設定した無線パラメータセットのセル探索において第１の同期信号及び第２の同期信号を利用する必要がある場合（図６の無線フレームの場合）、第２の同期信号の検出を行う。
【０２１３】
端末装置２０は、第２の同期信号の検出を行った結果、第２の同期信号系列のｍ０、ｍ１を特定できた場合（Ｓ１０７のＹＥＳ）、第２の同期信号により特定されるセルＩＤ及びフレーム同期の取得ができる。そして、端末装置２０は、Ｓ１０５において取得した第１の同期信号により特定されるセルＩＤと第２の同期信号により特定されるセルＩＤを利用して、接続可能なセルのセルＩＤを取得することができる（Ｓ１０８）。
【０２１４】
図１５は、実施形態に係るセル探索のシーケンス例を示す図である。図１５は、基地局装置が、同期信号系列に関する情報を端末装置に対して、アシストする場合の例である、基地局装置は、セット１〜セット３の同期信号系列を送信する（Ｓ２０１）。セット１〜セット３の各同期信号系列候補がｘ個とすると、端末装置は、３×ｘ個の同信号系列候補のレプリカとＳ２０１で基地局装置が送信した同期信号とを用いて同期検出を行う（Ｓ２０２）。
【０２１５】
端末装置は、セット１〜セット３のいずれかと同期を確立した場合、同期を確立したセットに関する情報を通知する（Ｓ２０３）。同期を確立したセットに関する情報は、同期を確立したセットを特定する情報であればよい。また、Ｓ２０３において、端末装置は、ケーパビリティを基地局装置に通知することができる。
【０２１６】
基地局装置は、同期を確立したセットを特定すると、その同期を確立したセットの下りリンク信号を用いて、同期を確立したセット以外のセットの同期信号系列を特定する情報
を通知する（Ｓ２０４）。この際、基地局装置は、前記ケーパビリティを考慮することができる。同期信号系列を特定する情報は、同期信号系列の根、同期信号系列と関連付けられたセルＩＤ等である。
【０２１７】
端末装置は、次の受信した同期信号（Ｓ２０５）により同期検出を行う場合、Ｓ２０４で受信した同期信号系列を特定する情報の範囲内の同期信号系列候補を用いて、同期検出を行う（Ｓ２０６）。これにより、端末装置が同期確立のために探索する同期信号系列候補を減らすことができる。
【０２１８】
図１６は、本実施形態に係る実施形態に係るＯＦＤＭのサブキャリア構成の別の例を示す図である。図１６は、複数の無線パラメータセットから成る１つの無線アクセス技術において、同期信号を配置する周波数帯域幅を複数の無線パラメータで同一に設定する場合の例である。
【０２１９】
図１６におけるセット１〜セット３は各々、図２〜４と対応する。図１６において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。図１６において、白抜き部のサブキャリアは、同期信号以外の下りリンク信号が配置されるサブキャリアである。図１６において、同期信号が配置されるサブキャリアは、各セットにおいて使用可能な周波数帯域幅の中心に配置されている。図１６において、同期信号が配置される周波数帯域幅は、セット１〜セット３において同一である。同期信号が配置される周波数帯域幅は、１つのリソースブロックを構成する周波数帯域幅内で設定することができる。また、同期信号が配置される周波数帯域幅は、複数のリソースブロックを構成する周波数帯域幅に設定することができる。
【０２２０】
セット１において、１つのリソースブロックを構成するサブキャリア数が１２サブキャリアであり、６リソースブロックに亘って同期信号を配置する場合、７２サブキャリアが配置される周波数帯域幅が、同期信号が配置される帯域幅となる。なお、端末装置２０が同期信号を取得するために帯域通過フィルタを用いる場合、ガードバンドを考慮して同期信号が配置される。例えば、前記７２サブキャリアのうち６３サブキャリアに同期信号を配置する。
【０２２１】
セット２における同期信号配置帯域幅は、このセット１における同期信号配置帯域幅と同一である。図１６において、セット２のサブキャリア間隔は、セット１のサブキャリア間隔のより広いため、セット２の同期信号配置帯域幅内におけるサブキャリア数は、セット１の同期信号配置帯域幅内におけるサブキャリア数より少なくなる。図１６において、セット３のサブキャリア間隔は、セット２のサブキャリア間隔より広いため、セット３の同期信号配置帯域幅内におけるサブキャリア数は、セット２の同期信号配置帯域幅内におけるサブキャリア数より少なくなる。
【０２２２】
図１７は、本実施形態に係るＯＦＤＭのサブキャリア構成の別の例を示す図である。図１７は、複数の無線パラメータセットから成る１つの無線アクセス技術において、同期信号を配置する周波数帯域幅を複数の無線パラメータで同一に設定する場合の別の例である。
【０２２３】
図１７におけるセット１〜セット３は各々、図２〜４と対応する。図１７において、網掛け部のサブキャリアは、セット１の同期信号が配置されるサブキャリアである。右上がり斜線部のサブキャリアは、セット２の同期信号が配置されるサブキャリアである。右下がり斜線部のサブキャリアは、セット３の同期信号が配置されるサブキャリアである。図
１７において、同期信号が配置されるサブキャリアは、各セットにおいて使用可能な周波数帯域幅の中心に配置されている。図１７では、セット１において使用可能な周波数帯域幅を構成する周波数帯域幅に同期信号が配置される。そして、同期信号が配置される周波数帯域幅は、セット１〜セット３において同一である。ここで、図１６、図１７において、セット１の同期信号が配置される周波数帯域幅のサブキャリア数をｒとする。図１６、図１７において、セット２の同期信号が配置される周波数帯域幅のサブキャリア数をｒ／ｃとする。図１６、１７において、セット３の同期信号が配置される周波数帯域幅のサブキャリア数をｒ／ｄとする。ｃ、ｄは、セット１〜セット３のサンプリング周波数及びＦＦＴポイント数により定まる値である。
【０２２４】
以上のように、１つの無線アクセス技術を構成する複数の無線パラメータセットにおいて、同期信号が配置される周波数帯域幅を共通にすることにより、同一の帯域通過フィルタを用いて同期信号を取得するができる。
【０２２５】
図１８は、本実施形態に係る無線アクセス技術におけるサブフレームあたりのＯＦＤＭシンボルの別の構成例を示す図である。図１８におけるセット１〜セット３は各々、図２〜４、図１６、図１７と対応する。セット１は１つサブフレームあたり１４個のＯＦＤＭシンボルから構成される例である。各サブフレームは２つのスロットから構成される。セット１は１つスロットあたり７個のＯＦＤＭシンボルから構成される。セット２は、１つサブフレームあたり７０個のＯＦＤＭシンボルから構成される例である。セット２は１つスロットあたり３５個のＯＦＤＭシンボルから構成される。セット３は１つサブフレームあたり５６０個のＯＦＤＭシンボルから構成される例である。セット３は１つスロットあたり２８０個のＯＦＤＭシンボルから構成される。
【０２２６】
図１８は、無線フレームにおいて同期信号が配置されたサブフレームを示している。図１８において、右上がり斜線部のＯＦＤＭシンボルは、第１の同期信号が配置される。図１８において、左上がりの斜線部のＯＦＤＭシンボルは、第２の同期信号が配置される。図１８において、白抜き部のＯＦＤＭシンボルは、同期信号が配置されないＯＦＤＭシンボルである。図１６において、ｔ１０１はセット１における第１の同期信号が配置される時間長である。ｔ１０２はセット１における第２の同期信号が配置される時間長である。ｔ１０３はセット２における第１の同期信号が配置される時間長である。ｔ１０４はセット２における第２の同期信号が配置される時間長である。ｔ１０５はセット３における第１の同期信号が配置される時間長である。ｔ１０６はセット３における第２の同期信号が配置される時間長である。なお、時間領域における第１の同期信号と第２の同期信号の配置は逆でもよい。
【０２２７】
図１８において、時間長ｔ１０３及びｔ１０４のＯＦＤＭシンボル数は、時間長ｔ１０１及びｔ１０２のＯＦＤＭシンボル数のｃ倍である。時間長ｔ１０５及びｔ１０６のＯＦＤＭシンボル数は、時間長ｔ１０１及びｔ１０２のＯＦＤＭシンボル数のｄ倍である。
【０２２８】
図１９は、本実施形態に係る無線アクセス技術におけるサブフレームあたりのＯＦＤＭシンボルの別の構成例を示す図である。図１９におけるセット１〜セット３は各々、図２〜４、１７、１８と対応する。セット１は１つサブフレームあたり１４個のＯＦＤＭシンボルから構成される例である。各サブフレームは２つのスロットから構成される。セット１は１つスロットあたり７個のＯＦＤＭシンボルから構成される。セット２は、１つサブフレームあたり７０個のＯＦＤＭシンボルから構成される例である。セット２は１つスロットあたり３５個のＯＦＤＭシンボルから構成される。セット３は１つサブフレームあたり５６０個のＯＦＤＭシンボルから構成される例である。セット３は１つスロットあたり２８０個のＯＦＤＭシンボルから構成される。
【０２２９】
図１９は、無線フレームにおいて同期信号が配置されたサブフレームを示す図である。図１７において、右上がり斜線部のＯＦＤＭシンボルは、第１の同期信号が配置される。図１９において、白抜き部のＯＦＤＭシンボルは、同期信号が配置されないＯＦＤＭシンボルである。図１９において、ｔ１０１はセット１における第１の同期信号が配置される時間長であるｔ１０３はセット２における第１の同期信号が配置される時間長である。ｔ１０４はセット２における第２の同期信号が配置される時間長である。ｔ１０５はセット３における第１の同期信号が配置される時間長である。
【０２３０】
図１９において、時間長ｔ１０３のＯＦＤＭシンボル数は、時間長ｔ１０１のＯＦＤＭシンボル数のｃ倍である。時間長ｔ１０５のＯＦＤＭシンボル数は、時間長ｔ１０１のＯＦＤＭシンボル数のｄ倍である。
【０２３１】
図１８、１９において、第１の同期信号は、第１の同期信号系列ｄ１（ｎ）を組み合わせて生成する。例えば、第１の同期信号系列ｄ１（ｎ）として、数式１で表されるＺａｄｏｆｆ  Ｃｈｕ系列を用いることができる。また、図１８において、第２の同期信号は、第２の同期信号系列ｄ２を組み合わせて生成する。例えば、第２の同期信号系列ｄ２として、数式２〜数式４で表されるＭ系列を用いることができる。
【０２３２】
セット１の第１の同期信号が配置されるＯＦＤＭシンボル数をｓ１とすると、セット１の第１の同期信号が配置されるリソースエレメント数は、ｒ×ｓ１である。セット１の第１の同期信号が配置されるリソースエレメントは周波数領域ｒと時間領域ｓ１から構成されるマトリックスとなる。
【０２３３】
ここで、図１８、図１９の第１の同期信号系列ｄ１の系列長をｒとすると、第１の同期信号系列ｄ１（ｎ）が、ＯＦＤＭシンボル毎に周波数領域にマップされる。各ＯＦＤＭシンボルにマップされる第１の同期信号系列ｄ１（ｎ）のインデックスｕは、ｘ１個のインデックスｕ（図１ではｘ１＝３個）のいずれかから選択される。周波数領域にマップされた第１の同期信号系列ｄ１（ｎ）は時間領域にｓ１個列並べられる。
【０２３４】
また、セット１において、図１８、図１９の第１の同期信号系列ｄ１の系列長をｒ×ｓ１とすると、第１の同期信号系列ｄ１は、周波数領域ｒ、時間領域ｓ１から構成されるマトリックスにマップされる。すなわち、１つの第１の同期信号系列ｄ１は、複数のＯＦＤＭシンボルに亘ってマッピングされる。例えば、この第１の同期信号系列ｄ１のマッピングは、周波数領域を優先的にマッピングする。
【０２３５】
図１８、図１９において、セット２の第１の同期信号が配置されるＯＦＤＭシンボル数をｓ２＝ｓ１×ｃとすると、セット２の第１の同期信号が配置されるリソースエレメントは周波数領域（ｒ／ｃ）と時間領域（ｓ１×ｃ）から構成されるマトリックスとなる。ここで、第１の同期信号系列ｄ１の系列長をｒとすると、第１の同期信号系列ｄ１（ｎ）が、ｃ個のＯＦＤＭシンボルに亘ってマップされる。ｃ個のＯＦＤＭシンボルに亘ってマップされる第１の同期信号系列ｄ１（ｎ）のインデックスｕは、ｘ１個のインデックスｕ（図１ではｘ１＝３個）のいずれかから選択される。ｃ個のＯＦＤＭシンボルに亘ってマップされる第１の同期信号系列ｄ１（ｎ）は時間領域にｓ１個列並べられる。セット２において、第１の同期信号で特定されるセルＩＤ数はｓ１×ｘ１個となる。
【０２３６】
図１８、図１９において、セット３の第１の同期信号が配置されるＯＦＤＭシンボル数をｓ２３ｓ１×ｄとすると、セット２の第１の同期信号が配置されるリソースエレメントは周波数領域（ｒ／ｄ）と時間領域（ｓ１×ｄ）から構成されるマトリックスとなる。ここで、第１の同期信号系列ｄ１の系列長をｒとすると、第１の同期信号系列ｄ１（ｎ）が、ｄのＯＦＤＭシンボルに亘ってマップされる。ｄ個のＯＦＤＭシンボルに亘ってマップ
される第１の同期信号系列ｄ１（ｎ）のインデックスｕは、ｘ１個のインデックスｕ（図１ではｘ１＝３個）のいずれかから選択される。ｄ個のＯＦＤＭシンボルに亘ってマップされる第１の同期信号系列ｄ１（ｎ）は時間領域にｓ１個列並べられる。セット３において、第１の同期信号で特定されるセルＩＤ数はｓ１×ｘ１個となる。
【０２３７】
以上のように、図１８、図１９のセット１〜セット３において、同期信号が配置されるリソースエレメント数は一定となる。このため、各無線パラメータセットのサンプリング周波数／ＯＦＤＭシンボル長／ＦＦＴポイント数が異なる場合でも、サンプリング誤差による同期取得精度の劣化を防ぐことができる。また、組合わされる基本となる同期信号系列ｄ１（ｎ）は各々、根が設定される。そして、各無線パラメータセットにおいて、基本となる同期信号系列の組み合わせにより構成される一連の同期信号によりセルＩＤが特定される。このため、セット２、セット３において、第１の同期信号により特定されるセルＩＤの数が増えるため、密なセル配置を行った場合や粗野なセル配置を行った場合でも、他セルからの干渉による同期信号取得及びセルＩＤ検出精度の劣化を防ぐことができる。なお、図１６〜図１９に示した無線フォーマットの構成例は、図１２〜図１４に示した基地局装置及び端末装置に適用することができる。
【０２３８】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２３９】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０２４０】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０２４１】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０２４２】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０２４３】
本発明は、基地局装置、端末装置および通信方法に用いて好適である。
【符号の説明】
【０２４４】
１０、１０−１、１０−２、１１、１１−１、１１−２、１２、１２−１〜１２−５  基地局装置
２０、２０−１、２０−２  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５−１〜１０３５〜３  無線送信部
１０３６  同期信号生成部
１０４１−１〜１０４１〜３  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５−１〜２０３５−３  無線送信部
２０４１−１〜２０４１−３  無線受信部
２０４２  多重分離部
２０４３  信号検出部
２０４４  同期検出部
【図１】
2018207137.tif 000007
【図２】
2018207137.tif 000008
【図３】
2018207137.tif 000009
【図４】
2018207137.tif 000010
【図５】
2018207137.tif 000011
【図６】
2018207137.tif 000012
【図７】
2018207137.tif 000013
【図８】
2018207137.tif 000014
【図９】
2018207137.tif 000015
【図１０】
2018207137.tif 000016
【図１１】
2018207137.tif 000017
【図１２】
2018207137.tif 000018
【図１３】
2018207137.tif 000019
【図１４】
2018207137.tif 000020
【図１５】
2018207137.tif 000021
【図１６】
2018207137.tif 000022
【図１７】
2018207137.tif 000023
【図１８】
2018207137.tif 000024
【図１９】
2018207137.tif 000025